(57)【特許請求の範囲】
【請求項１】
駆動モータの駆動に伴って可動体を動作させて演出を実行し得るよう構成された遊技機において、
前記可動体の動作に合わせて移動する複数の検出部を、当該可動体の動作に伴って同一の検出手段で順に検出し得るよう構成され、
前記駆動モータの動作態様を特定した複数種類の動作情報が設定されて、当該複数種類の動作情報の内から実行させる動作情報の組合せを動作情報決定手段が決定するよう構成され、
前記検出手段による検出状態の切り替わりを契機として、前記動作情報決定手段により決定された動作情報の内で実行させる動作情報を変更して駆動制御手段が前記駆動モータを駆動させるよう構成され、
前記可動体は、基準位置および限界位置の間で往復動作可能に構成されて、当該可動体が基準位置および限界位置を往復動作する際に、前記複数の検出部を前記同一の検出手段が順に検出して検出状態が切り替わるよう構成され、
前記動作情報は、前記可動体を基準位置から限界位置へ動作させるために必要な限界駆動値以上に設定された基準駆動値で、当該可動体を限界位置へ向けて動作させるように前記駆動モータを駆動させることを特定した初期動作情報と、可動体を基準位置へ向けて動作させるように前記駆動モータを駆動させることを特定すると共に駆動モータを駆動させる基準駆動値が異なる複数種類の復帰動作情報とを含み、
前記可動体を原点復帰させる際に、前記動作情報決定手段が前記初期動作情報を決定すると共に、当該初期動作情報に基づいて動作された前記可動体を基準位置まで動作させるために必要な駆動値に基準駆動値の合計が一致する組合せとなる復帰動作情報を動作情報決定手段が決定するよう構成され、
前記駆動制御手段が前記初期動作情報に基づいて前記駆動モータを駆動させた後に、前記検出手段による検出状態の切り替わりを契機として前記復帰動作情報を変更して駆動モータを駆動させることで、前記可動体が基準位置まで動作するよう構成された
ことを特徴とする遊技機。
【請求項２】
駆動モータの駆動に伴って可動体を動作させて演出を実行し得るよう構成された遊技機において、
前記可動体の動作に合わせて移動する複数の検出部を、当該可動体の動作に伴って同一の検出手段で順に検出し得るよう構成され、
前記駆動モータの動作態様を特定した複数種類の動作情報が設定されて、当該複数種類の動作情報の内から実行させる動作情報の組合せを動作情報決定手段が決定するよう構成され、
前記検出手段による検出状態の切り替わりを契機として、前記動作情報決定手段により決定された動作情報の内で実行させる動作情報を変更して駆動制御手段が前記駆動モータを駆動させるよう構成され、
演出を表示可能な表示手段を備え、
前記可動体が複数設けられて、各可動体を基準位置および限界位置の間で往復動作し得るよう構成されると共に、各可動体が基準位置および限界位置を往復動作する際に、各可動体に設けられた複数の検出部を、可動体毎に対応して設けられた同一の検出手段が順に検出して検出状態が切り替わるよう構成され、
前記各可動体には、前記基準位置および限界位置の間に所定数の停止位置が設定されて、当該複数の可動体を停止位置に位置させることで前記表示手段の前面側において表示領域が複数の領域に区画されるよう構成され、
前記動作情報は、当該動作情報に基づいて駆動される前記駆動モータの駆動方向および基準駆動値を特定するよう設定されると共に、
前記動作情報には、前記検出手段による検出状態の切り替わりから前記可動体を停止位置まで動作させるために必要な駆動値となるよう基準駆動値が設定された停止動作情報が含まれ、
前記検出手段による検出状態の切り替わりを契機として、前記停止動作情報に基づいて前記駆動制御手段が前記駆動モータを駆動させることで、前記表示手段の表示領域を区画する前記停止位置まで前記可動体が動作するよう構成された
ことを特徴とする遊技機。
【発明の詳細な説明】
【技術分野】
【０００１】
本発明は、可動体を動作して演出を行う遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞部(始動入賞手段)や大当り時等に開放する特別入賞部を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞部に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞部が開放して多数の賞球を獲得し得るよう構成される。
【０００３】
また、近年のパチンコ機では、所要の動作を行う可動体を備えた可動式の演出装置(可動演出装置)を配設して、該可動体を図柄表示装置での図柄変動演出に合わせて動作させることにより演出効果の向上を図っている。例えば、特許文献１では、遊技盤に対して表示器(可動体)を回転自在に配設し、該表示器をモータの駆動によって回転して異なる姿勢で停止するよう構成されている。
【先行技術文献】
【特許文献】
【０００４】
【特許文献１】特開２００５−２７８９６８号公報
【発明の概要】
【発明が解決しようとする課題】
【０００５】
前記特許文献１の可動演出装置では、可動体(表示器)を停止する位置に対応して検出手段(位置検出器)を夫々配置し、該検出手段が可動体に設けた検出部(突起物)を検出した条件でモータを停止制御することで、該可動体を予め設定された複数の位置に停止させることができるようになっている。しかしながら、１つの可動体を複数位置で停止させるために、停止させる位置の数に合わせて複数の検出手段を配置しなければならず、部品点数が増加して製造コストが嵩むと共に、検出手段に接続する配線の数も多くなるので該配線の引き回し処理が煩雑となる問題も招いてしまう。また、複数の検出手段を設置するためのスペースを確保したり、該検出手段の設置部を設ける等、設計の自由度が低下する難点も指摘される。
【０００６】
すなわち本発明は、従来の技術に係る遊技機に内在する前記課題に鑑み、これを好適に解決するべく提案されたものであって、可動体の動作を少数の検出手段で精度よく制御可能な遊技機を提供することを目的とする。
【課題を解決するための手段】
【０００７】
前記課題を解決するために、本願の請求項１に記載の発明は、
駆動モータ(59)の駆動に伴って可動体(51,52)を動作させて演出を実行し得るよう構成された遊技機において、
前記可動体(51,52)の動作に合わせて移動する複数の検出部(66,67,68)を、当該可動体(51,52)の動作に伴って同一の検出手段(69)で順に検出し得るよう構成され、
前記駆動モータ(59)の動作態様を特定した複数種類の動作情報が設定されて、当該複数種類の動作情報の内から実行させる動作情報の組合せを動作情報決定手段(70)が決定するよう構成され、
前記検出手段(69)による検出状態の切り替わりを契機として、前記動作情報決定手段(70)により決定された動作情報の内で実行させる動作情報を変更して駆動制御手段(70)が前記駆動モータ(59)を駆動させるよう構成され、
前記可動体(51,52)は、基準位置および限界位置の間で往復動作可能に構成されて、当該可動体(51,52)が基準位置および限界位置を往復動作する際に、前記複数の検出部(66,67,68)を前記同一の検出手段(69)が順に検出して検出状態が切り替わるよう構成され、
前記動作情報は、前記可動体(51,52)を基準位置から限界位置へ動作させるために必要な限界駆動値以上に設定された基準駆動値で、当該可動体(51,52)を限界位置へ向けて動作させるように前記駆動モータ(59)を駆動させることを特定した初期動作情報と、可動体(51,52)を基準位置へ向けて動作させるように前記駆動モータ(59)を駆動させることを特定すると共に駆動モータ(59)を駆動させる基準駆動値が異なる複数種類の復帰動作情報とを含み、
前記可動体(51,52)を原点復帰させる際に、前記動作情報決定手段(70)が前記初期動作情報を決定すると共に、当該初期動作情報に基づいて動作された前記可動体(51,52)を基準位置まで動作させるために必要な駆動値に基準駆動値の合計が一致する組合せとなる復帰動作情報を動作情報決定手段(70)が決定するよう構成され、
前記駆動制御手段(70)が前記初期動作情報に基づいて前記駆動モータ(59)を駆動させた後に、前記検出手段(69)による検出状態の切り替わりを契機として前記復帰動作情報を変更して駆動モータ(59)を駆動させることで、前記可動体(51,52)が基準位置まで動作するよう構成されたことを要旨とする。
【０００８】
このように、検出手段による検出状態の切り替わりを契機として実行させる動作情報を変更して駆動モータを駆動させることで、当該可動体の動作に合わせて移動する複数の検出部を同一の検出手段で順に検出する構成であっても可動体の動作位置に基づいて精度よく動作させることができる。また、可動体の動作位置を複数の検出手段で検出する必要がないから、製造コストの低減や配線処理の簡略化を図り得ると共に、設計の自由度を高め得る。
また、可動体を原点復帰させる際には、可動体を限界位置まで動作させた後に、検出手段による検出状態の切り替わりを契機として実行させる動作情報を変更して駆動モータを駆動させて可動体を基準位置まで動作させることで、可動体の動作に合わせて移動する複数の検出部を同一の検出手段で順に検出する構成であっても可動体を精度よく基準位置まで戻すことができ、基準位置から可動体を精度よく動作させ得る。
【０００９】
本願には、次のような技術的思想が含まれている。
前記可動体(51,52)の動作に伴って、前記複数の検出部(66,67,68)の内の何れかを前記検出手段(69)が検出する第１の状態および各検出部(66,67,68)を検出手段(69)が検出しない第２の状態に交互に切り替わるよう構成され、
前記駆動制御手段(70)は、前記第１の状態から第２の状態への検出状態の切り替わりおよび前記第２の状態から第１の状態への検出状態の切り替わりの夫々を契機として、実行させる動作情報を変更して次の動作情報に基づいて前記駆動モータ(59)を駆動させるよう構成されたことを要旨とする。
このように、第１の状態から第２の状態への検出手段の検出状態の切り替わりと、第２の状態から第１の状態への検出手段の検出状態の切り替わりの夫々を契機として、駆動モータを駆動させる動作情報を変更することで、可動体の動作位置に基づいて駆動モータを細かく制御でき、可動体の動作精度を高めることができる。
【００１１】
前記課題を解決するために、本願の請求項２に記載の発明は、
駆動モータ(59)の駆動に伴って可動体(51,52)を動作させて演出を実行し得るよう構成された遊技機において、
前記可動体(51,52)の動作に合わせて移動する複数の検出部(66,67,68)を、当該可動体(51,52)の動作に伴って同一の検出手段(69)で順に検出し得るよう構成され、
前記駆動モータ(59)の動作態様を特定した複数種類の動作情報が設定されて、当該複数種類の動作情報の内から実行させる動作情報の組合せを動作情報決定手段(70)が決定するよう構成され、
前記検出手段(69)による検出状態の切り替わりを契機として、前記動作情報決定手段(70)により決定された動作情報の内で実行させる動作情報を変更して駆動制御手段(70)が前記駆動モータ(59)を駆動させるよう構成され、
演出を表示可能な表示手段(17)を備え、
前記可動体(51,52)が複数設けられて、各可動体(51,52)を基準位置および限界位置の間で往復動作し得るよう構成されると共に、各可動体(51,52)が基準位置および限界位置を往復動作する際に、各可動体(51,52)に設けられた複数の検出部(66,67,68)を、可動体(51,52)毎に対応して設けられた同一の検出手段(69)が順に検出して検出状態が切り替わるよう構成され、
前記各可動体(51,52)には、前記基準位置および限界位置の間に所定数の停止位置が設定されて、当該複数の可動体(51,52)を停止位置に位置させることで前記表示手段(17)の前面側において表示領域(71)が複数の領域(71a,71b)に区画されるよう構成され、
前記動作情報は、当該動作情報に基づいて駆動される前記駆動モータ(59)の駆動方向および基準駆動値を特定するよう設定されると共に、
前記動作情報には、前記検出手段(69)による検出状態の切り替わりから前記可動体(51,52)を停止位置まで動作させるために必要な駆動値となるよう基準駆動値が設定された停止動作情報が含まれ、
前記検出手段(69)による検出状態の切り替わりを契機として、前記停止動作情報に基づいて前記駆動制御手段(70)が前記駆動モータ(59)を駆動させることで、前記表示手段(17)の表示領域(71)を区画する前記停止位置まで前記可動体(51,52)が動作するよう構成されたことを要旨とする。
このように、検出手段による検出状態の切り替わりを契機として実行させる動作情報を変更して駆動モータを駆動させることで、当該可動体の動作に合わせて移動する複数の検出部を同一の検出手段で順に検出する構成であっても可動体の動作位置に基づいて精度よく動作させることができる。また、可動体の動作位置を複数の検出手段で検出する必要がないから、製造コストの低減や配線処理の簡略化を図り得ると共に、設計の自由度を高め得る。
また、複数の可動体を精度よく停止位置まで動作させて表示手段の表示領域を複数の領域に区画することができるから、可動体の動作と表示手段の表示演出とが整合した演出によって興趣を向上することができる。
【００１２】
本願には、次のような技術的思想が含まれている。
前記可動体(51,52)は、基準位置および限界位置の間で往復動作可能に構成されて、当該可動体(51,52)が基準位置および限界位置を往復動作する際に、前記複数の検出部(66,67,68)を前記同一の検出手段(69)が順に検出して検出状態が切り替わるよう構成され、
前記動作情報の組合せおよび実行順序を特定した動作パターンが複数設定されて、当該複数の動作パターンの内から１つの動作パターンを前記動作情報決定手段(70)が決定するよう構成されて、
前記検出手段(69)による検出状態の切り替わりを契機として、前記動作情報決定手段(70)により決定された動作パターンで特定される動作情報の実行順序で変更して前記駆動モータ(59)を駆動させることで、基準位置から動作した可動体(51,52)が基準位置に復帰するよう構成されたことを要旨とする。
このように、動作情報の組合せおよび実行順序を特定した動作パターンを複数設定しておくことで、該動作パターンを決定するだけで各種の動作態様で可動体を精度よく動作させることができる。
【発明の効果】
【００１３】
本発明に係る遊技機によれば、少数の検出手段で可動体を精度よく制御することができる。
【図面の簡単な説明】
【００１４】
【図１】実施例に係るパチンコ機を示す正面図である。
【図２】実施例に係る遊技盤を示す正面図であって、可動体が基準位置に位置する状態で示している。
【図３】実施例に係る可動演出装置を配設した設置部材を示す概略斜視図である。
【図４】実施例に係る第１可動演出装置における可動体および移動機構を前側から見た概略斜視図である。
【図５】実施例に係る第１可動演出装置における可動体および移動機構を後側から見た概略斜視図である。
【図６】(ａ)は、実施例に係る両可動演出装置の可動体が基準位置の状態で示す概略正面図であり、(ｂ)は、(ａ)の状態における第１可動演出装置の検出部と検出手段との関係を示す要部概略背面図である。なお、(ａ)には表示装置の表示領域を二点鎖線で示している。
【図７】(ａ)は、実施例に係る両可動演出装置の可動体が第１停止位置の状態で示す概略正面図であり、(ｂ)は、(ａ)の状態における第１可動演出装置の検出部と検出手段との関係を示す要部概略背面図である。なお、(ａ)には表示装置の表示領域を二点鎖線で示している。
【図８】(ａ)は、実施例に係る両可動演出装置の可動体が第２停止位置の状態で示す概略正面図であり、(ｂ)は、(ａ)の状態における第１可動演出装置の検出部と検出手段との関係を示す要部概略背面図である。なお、(ａ)には表示装置の表示領域を二点鎖線で示している。
【図９】(ａ)は、実施例に係る両可動演出装置の可動体が限界位置の状態で示す概略正面図であり、(ｂ)は、(ａ)の状態における第１可動演出装置の検出部と検出手段との関係を示す要部概略背面図である。なお、(ａ)には表示装置の表示領域を二点鎖線で示している。
【図１０】実施例に係る遊技盤を示す正面図であって、可動体が第１停止位置に位置する状態で示している。
【図１１】実施例に係る遊技盤を示す正面図であって、可動体が第２停止位置に位置する状態で示している。
【図１２】実施例に係るパチンコ機の制御ブロック図である。
【図１３】駆動モータの動作態様を特定する動作情報の種類を示す図である。
【図１４】駆動モータの動作態様を特定する動作パターンと可動体の動作態様との関係を示す図である。
【図１５】各動作パターンにおける動作情報の組合わせを示す図である。
【図１６】初期動作パターンにおける動作情報の組合わせを示す図である。
【図１７】(ａ)は、電源投入時の初期動作パターンに基づく動作制御の流れを示す図であり、(ｂ)は、演出用の動作パターンに基づく動作制御の流れを示す図である。
【図１８】異常判定処理の流れを示すフローチャートである。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられると共に、遊技盤２０の後側に、図柄を変動表示可能な表示手段としての表示装置１７が着脱し得るよう配設されている。また、中枠１２の前面側には、遊技盤２０を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１７】
前記表示装置１７は、後述する始動入賞口へのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出(リーチ演出、予告演出、報知演出等)を表示部１７ａに表示し得るようになっている。実施例では、前記表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００１８】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に配設された後述する枠状装飾体４２の左側の遊技領域２８をパチンコ球が流下する所謂「左打ち」と、該枠状装飾体４２の右側の遊技領域２８をパチンコ球が流下する所謂「右打ち」とを打ち分け得るようになっている。また、前枠１３の前部には、ＬＥＤ等の発光体による発光演出が可能なランプ装置１８や、音声や効果音を出力可能なスピーカ１９が配設されており、前記表示装置１７での図柄変動演出に合わせてランプ装置１８で発光演出を行ったりスピーカ１９で音声演出を行い得るよう構成されている。
【００１９】
(遊技盤２０について)
前記遊技盤２０は、アクリルやポリカーボネート等の合成樹脂材等からなる透明な平板状の板部材であって、該遊技盤２０の裏側に、合成樹脂材により前方へ開口した箱状に形成されて遊技盤２０との間に収容空間２７を画成する設置部材２２が配設されている(図３参照)。前記遊技盤２０と設置部材２２との間の収容空間２７には、動作により演出を行う可動演出装置Ｍ１,Ｍ２(後述)や発光により演出を行う発光演出装置(図示せず)等が設置されており、透明な遊技盤２０を介して該遊技盤２０の前面側から当該収容空間内の可動演出装置Ｍ１,Ｍ２を遊技者が目視し得るよう構成されている。なお、前記表示装置１７は、設置部材２２の裏側に取り付けられて、後述するように設置部材２２に設けた開口部(可視部)２２ａおよび枠状装飾体４２(後述)の開口部４２ａを介して遊技盤２０の前側に視認可能に臨むよう構成される。遊技盤２０は、木材板の表面に各種絵柄等が描かれた合成樹脂シート等を貼付けて装飾したものであってもよい。
【００２０】
前記遊技盤２０の前面側には、前面(盤面)に配設された略円形状の案内レール２３によりパチンコ球が流下可能な遊技領域２８が画成されている。案内レール２３は、図２に示すように、遊技盤２０の左下部から右上部に至るよう左方向に膨出する円弧状に形成された外レール２４と、遊技盤２０の右上部、右下部および左上部に至るよう右方向に膨出する円弧状に形成された内レール２５とから構成されている。前記内レール２５は、外レール２４の右上端部に連接して遊技盤２０の右上部から下部に亘って配設され、左端縁が右方に凹む円弧状に形成された盤面飾り部材２５ａと、遊技盤２０の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記遊技盤２０の左上部に開放端が臨むよう配置されて、外レール２４との間に遊技領域２８に開口する発射口を画成するよう構成され、前記打球発射装置から発射されたパチンコ球が発射通路２６の下方開口から飛翔して、当該発射口から遊技領域２８内に打ち出されるようになっている。
【００２１】
前記遊技盤２０には、前後に貫通する装着口が前記遊技領域２８内の適宜位置に開設されて、各装着口に対して各種の遊技盤設置部品が配設されている。なお、実施例の遊技盤２０には、遊技盤設置部品として枠状装飾体４２、始動入賞装置３１、特別入賞装置３３、普通入賞部３４、ゲート部３５等を設置する装着口が形成されている。そして、前記遊技盤２０において遊技領域２８の最下部位置に、該遊技領域２８の最下部位置まで流下したパチンコ球を遊技盤２０の外部に排出するアウト口３６が開設されている。すなわち、前記打球発射装置から発射されて遊技領域２８を流下するパチンコ球が前記遊技盤設置部品に設けられた入球部(始動入賞装置３１、特別入賞装置３３、普通入賞部３４、ゲート部３５等)に入球することにより、入球した入球部に応じた賞球の払い出しや図柄変動演出の実行等の所定の遊技が行われ、遊技領域２８の最下部まで流下したパチンコ球がアウト口３６を介して機外に排出されるよう構成される。なお、前記装着口の形成数は、遊技盤２０に対して取り付けられる遊技盤設置部品の配設位置や配設数等に応じて適宜に決定される。
【００２２】
また、前記遊技盤２０には、前記遊技領域２８内に多数の遊技釘３７が設けられると共に、後述する枠状装飾体４２の左側方に、遊技領域２８を流下するパチンコ球の接触に伴って回転する回転案内部材３８が回転自在に支持されており、遊技釘３７や回転案内部材３８との接触によりパチンコ球の流下方向が不規則に変化するよう構成されている。前記回転案内部材３８は、所謂「風車」とも称される部材であって、該回転案内部材３８の回転に伴ってパチンコ球を弾くように左右方向へ放出する部材である。
【００２３】
実施例の前記遊技盤２０には、図２に示すように、前記案内レール２３で囲まれた遊技領域２８の略中央の大部分が開口する装着口に、前後に開口する枠状に形成された枠状装飾体４２が取り付けられ、該枠状装飾体４２の開口部４２ａの後方に、前記設置部材２２の開口部２２ａが位置するようになっている。すなわち、前記枠状装飾体４２の開口部４２ａの後方に前記表示装置１７の表示部１７ａが位置するよう構成されている。
【００２４】
また、前記遊技盤２０には、前記枠状装飾体４２の下方位置(アウト口３６の直上位置)に形成された装着口に、遊技領域２８を流下するパチンコ球が入賞可能な第１始動入賞口２９および第２始動入賞口３０が設けられた始動入賞装置３１および特別入賞口３２が設けられた特別入賞装置３３が配設されている。第１始動入賞口２９は、パチンコ球が入賞可能に遊技領域２８内で常に上方開口した常時開放型の入賞口とされており、遊技盤２０の遊技領域２８を流下するパチンコ球の流下態様に応じて任意のタイミングで第１始動入賞口２９にパチンコ球が入球(入賞)し得るよう構成されている。また、第２始動入賞口３０は、該第２始動入賞口３０を図示しない駆動手段の駆動に伴って開放可能に開閉部材３１ａで閉鎖する開閉型の入賞口とされており、遊技盤２０の遊技領域２８を流下するパチンコ球の流下態様および駆動手段の駆動による開閉部材３１ａの開放動作タイミングに応じて第２始動入賞口３０にパチンコ球が入賞し得るよう構成されている。
【００２５】
前記特別入賞装置３３の特別入賞口３２は、該特別入賞口３２を図示しない駆動手段の駆動に伴って開放可能に開閉部材３３ａで閉鎖する開閉型の入賞口とされており、遊技盤２０の遊技領域２８を流下するパチンコ球の流下態様および駆動手段の駆動による開閉部材３３ａの開放動作タイミングに応じて特別入賞口３２にパチンコ球が入賞し得るよう構成されている。
【００２６】
前記遊技盤２０には、前記枠状装飾体４２の左側をパチンコ球が流下する遊技領域２８に、複数の装着口が上下に離間して開設されており、最上部の装着口にゲート部３５が配設されると共に、該ゲート部３５が配設される装着口より下側の複数の装着口には普通入賞口３４ａが夫々設けられた普通入賞部３４が配設されている。ゲート部３５は、パチンコ球が通過可能なゲート入口およびゲート出口が遊技領域２８内で常に上下に開口する常時開放型の入球部とされ、遊技盤２０の遊技領域２８を流下するパチンコ球の流下態様に応じて任意のタイミングでゲート入口をパチンコ球が入球(通過)して、ゲート出口を介して遊技領域２８に排出されるようになっている。また、普通入賞部３４は、パチンコ球が入賞可能な普通入賞口３４ａが遊技領域２８内で常に上方開口する常時開放型の入賞部とされ、遊技盤２０の遊技領域２８を流下するパチンコ球の流下態様に応じて任意のタイミングで普通入賞口にパチンコ球が入球(入賞)し得るようになっている。
【００２７】
前記始動入賞装置３１、特別入賞装置３３および普通入賞部３４の夫々は、各対応の入賞口２９,３０,３２,３４ａに入賞したパチンコ球を検出する入賞検出センサ(図示せず)を備えており、各入賞検出センサがパチンコ機１０の裏側に配設された制御手段７０に配線接続されている。そして、始動入賞装置３１が備える入賞検出センサの何れかによるパチンコ球の検出(パチンコ球を検出した検出信号の入力)に伴い特図当り判定条件(当り判定条件)が成立するようになっている。そして、特図当り判定条件が成立することで、特図当り(大当りや小当り)を生起させるか否かに関する特図当り判定が行われ、該判定結果が当りであった場合に、前記表示装置１７で行われる図柄変動演出の結果として所定の当り表示(例えば同一図柄の３つ揃い等)で飾図が確定停止表示されて、前記特別入賞装置３３の開閉部材３３ａを開放する遊技者に有利な当り遊技が付与されるよう構成されている。また、実施例のパチンコ機１０では、前記入賞検出センサがパチンコ球を検出することで賞球払出条件が成立するよう構成されており、当該賞球払出条件の成立に伴って制御手段７０が図示しない払出制御装置に制御信号を出力して、所定数の賞球が前記上球受け皿１４または下球受け皿１５に払い出されるようになっている。
【００２８】
前記ゲート部３５には、ゲート入口に入球して当該ゲート部３５を通過するパチンコ球を検出するゲートセンサ(図示せず)が設けられている。このゲートセンサは、前記制御手段７０に配線接続されており、該ゲートセンサから制御手段７０への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記始動入賞装置３１の開閉部材３１ａが開放作動されて、第２始動入賞口３０が開放するよう構成されている。なお、実施例では、前記ゲートセンサがパチンコ球を検出することによっては賞球払出条件が成立しないよう設定されており、パチンコ球のゲート部３５の通過に伴って賞球が払い出されないようになっている。
【００２９】
(枠状装飾体４２について)
次に、前記枠状装飾体４２について説明する。前記枠状装飾体４２は、図２に示す如く、前記遊技盤２０に開設された枠状装飾体４２が配設される装着口の内側に沿って延在する環状に形成された枠状基部(図示せず)と、該枠状基部に設けられて前記遊技盤２０の前面より前方に突出し、前記遊技領域２８と表示装置１７の表示部１７ａを区切る庇状部４４と、該庇状部４４の後縁から外方に延出する薄板状の台板部４５とを備える。そして、前記枠状基部を装着口に挿入すると共に台板部４５を遊技盤２０の前面に当接した状態で、該台板部４５をネジ等の固定手段で遊技盤２０に固定することで、枠状装飾体４２が遊技盤２０に取り付けられて、該枠状装飾体４２の外側、具体的には庇状部４４と案内レール２３との間にパチンコ球が流下する遊技領域２８が画成されるようになっている。なお、枠状装飾体４２を遊技盤２０に取り付けた状態で、庇状部４４の後端縁から外方に延出する台板部４５が遊技盤２０の前面に沿って延在して、該台板部４５の前側をパチンコ球が通り得るよう構成される。また、枠状装飾体４２は、全体が透明な合成樹脂製とされており、透明な遊技盤２０の前側に台板部４５を重ねた状態で、該台板部４５および遊技盤２０を介して裏側を透視可能に構成されている。
【００３０】
前記枠状装飾体４２の庇状部４４は、前記枠状基部の全周に亘って連続して延在するよう設けられており、前記遊技領域２８から開口部４２ａ内にパチンコ球が飛び込むのを規制して、前記表示装置１７における表示部１７ａの前側をパチンコ球が移動しないように構成してある。また庇状部４４は、最上部位置から左右方向に下方傾斜するよう形成されて、遊技領域２８に打ち出されたパチンコ球が庇状部４４上で滞ることなく枠状装飾体４２の左側方または右側方へ誘導案内されるよう形成されている。
【００３１】
前記枠状装飾体４２には、図２に示す如く、開口部４２ａの下側(枠状装飾体４２の内周下縁部)に、ステージ４６が配設されると共に、開口部４２ａの左側に、遊技領域２８に開口して該遊技領域２８を流下するパチンコ球を枠状装飾体４２の内側(ステージ４６)に取り込む球導入部４７が設けられ、該球導入部４７がステージ４６に連通するよう構成される。そして、球導入部４７からステージ４６に通出されたパチンコ球は、ステージ４６上を左右に転動した後に、前記始動入賞口２９,３０が設けられている遊技領域２８に排出される。また、前記ステージ４６の後端縁には、左右方向の全長に亘って上側に向けて所定高さで立上がる透明壁４８が設けられ、ステージ４６上を転動するパチンコ球が表示装置１７の表示部１７ａ側に移動するのを該透明壁４８で防止している。また、透明壁４８の上端縁に、前記前枠１３における透明部材１３ａの裏面に近接する位置(透明部材１３ａとの間をパチンコ球が通過できない隙間となる位置)まで張り出す張出部４８ａが設けられており、遊技釘３７に接触して跳ねてステージ４６に飛び込むパチンコ球が表示部１７ａ側に移動するのを該張出部４８ａで防止している。
【００３２】
前記枠状装飾体４２には、図２に示す如く、パチンコ機１０のモチーフとなる意匠が施された複数の装飾部品４９が、前記庇状部４４の内周縁部に設けられている。そして、本実施例では、装飾部品４９、庇状部４４および前記透明壁４８の張出部４８ａによって、前記表示装置１７の表示部１７ａを前側に臨ませる開口部４２ａが画成される。
【００３３】
(設置部材２２について)
前記設置部材(設置部)２２は、前記遊技盤２０の外郭形状より小さい略矩形状に形成された背面板４０と、該背面板４０の外周縁部から前方に突出する画壁部４１とから前方に開口した箱状に形成されて(図３参照)、該画壁部４１の開口前端部を遊技盤２０の裏面に当接させた状態で、当該遊技盤２０と設置部材２２とがネジ止め固定される。そして、前記設置部材２２において前記遊技盤２０との間に画成される収容空間２７に、動作により演出を行う可動演出装置Ｍ１,Ｍ２が設置されて、１つのユニットとして扱い得るようになっている。前記設置部材２２の背面板４０には、前記枠状装飾体４２の開口部４２ａと前後に整列する位置に、略矩形状の開口部２２ａが前後に開口するよう開設される。そして、背面板４０の裏面に配設した前記表示装置１７の表示部１７ａが、前記開口部２２ａおよび開口部４２ａを介して遊技盤２０の前側に臨むようになっている。
【００３４】
(可動演出装置Ｍ１,Ｍ２について)
前記設置部材２２の背面板４０には、開口部２２ａの左側に第１可動演出装置Ｍ１が配設されると共に、背面板４０における開口部２２ａの右側に第２可動演出装置Ｍ２が配設されている。第１可動演出装置Ｍ１および第２可動演出装置Ｍ２は左右対称であるので、第１可動演出装置Ｍ１の構成について説明し、第２可動演出装置Ｍ２については第１可動演出装置Ｍ１と同じ部材に同一の符号を付して詳細説明は省略する。
【００３５】
(第１可動演出装置Ｍ１について)
前記第１可動演出装置Ｍ１は、背面板４０に取り付けられる設置基体５０(図３参照)と、該設置基体５０に動作可能に配設された可動体５１,５２と、設置基体５０に配設されて可動体５１,５２を動作させる移動機構５３とを備え、移動機構５３によって可動体５１,５２を動作させることで演出を行い得るよう構成される。実施例では、設置基体５０に２つの可動体５１,５２が、前後にずれると共に前後方向に延在する同一の軸回りに回動自在に支持されて、移動機構５３によって２つの可動体５１,５２は、前記表示装置１７における表示部１７ａの前面側を基準位置(図６(ａ)参照)と限界位置(図９(ａ)参照)との間で往復動作されるよう構成される。２つの可動体５１,５２は、回転軸心を通る水平線を挟んで上下で対称となる形状に形成されている。そこで、基準位置において上側に位置する可動体５１を第１可動体５１と指称すると共に、基準位置において下側に位置する可動体５２を第２可動体５２と指称して区別する場合もある。
【００３６】
(可動体５１,５２について)
前述したように第１可動体５１および第２可動体５２は上下対称であるので、第１可動体５１の構成について説明し、第２可動体５２については第１可動体５１と同じ部材に同一の符号を付して詳細説明は省略する。また、可動体５１,５２については、特に断りのない限り、図６に示すように基準位置に位置する状態で説明するものとする。
【００３７】
前記第１可動体５１は、図４,図５に示す如く、長手方向の一端が前記設置基体５０に回動自在に支持された第１腕部５４と、該第１腕部５４の自由端に連設されて第１腕部５４と交差する方向に延在する第２腕部５５とから逆Ｌ字状に形成された部材である。第１可動体５１には、第２腕部５５の自由端に第１装飾部５６が設けられると共に、両腕部５４,５５の連設部に第２装飾部５７が設けられている。実施例では、両装飾部５６,５７は円形に形成されて、第１可動体５１および第２可動体５２を動作した際に、両可動体５１,５２の第１装飾部５６,５６同士および第２装飾部５７,５７同士が夫々異なる動作位置(第１停止位置,第２停止位置)で前後に整列して重なるよう構成される(図７(ａ),図８(a）図１０,図１１参照)。
【００３８】
前記第１腕部５４および第２腕部５５は、光透過性に構成されると共に裏側に発光体を備えた発光基板５８(図５参照)が配設されて、該発光体を発光することで両腕部５４,５５が明輝し得るよう構成される。また、前記第１装飾部５６および第２装飾部５７は、非光透過性に構成されて、両可動体５１,５２の第１装飾部５６,５６同士が前後に重なった状態および第２装飾部５７,５７同士が前後に重なった状態で、後側の装飾部５６,５７が前側の装飾部５６,５７で隠れるよう構成される。
【００３９】
(移動機構５３について)
前記移動機構５３は、前記設置基体５０に配設された駆動モータ５９と、設置基体５０に配設されて駆動モータ５９の駆動力を両可動体５１,５２に伝達する伝達機構６０とを備える。駆動モータ５９は、前記制御手段７０に電気的に接続されており(図１２参照)、該制御手段７０の制御下に駆動モータ５９が正転方向および逆転方向に回転駆動されることで、可動体５１,５２が基準位置(図６)と限界位置(図９)との間を往復動作するよう構成される。前記可動体５１,５２は、基準位置から限界位置に向けて動作する場合に限界ストッパ(図示せず)に当接して限界位置を越えて動作しないよう構成されると共に、限界位置から基準位置に向けて動作する場合に基準ストッパ(図示せず)に当接して基準位置を越えて動作しないよう構成されている。なお、駆動モータ５９の回転方向について、可動体５１,５２を基準位置側から限界位置側へ動作させる方向をＣＣＷ方向、可動体５１,５２を限界位置側から基準位置側へ動作させる方向をＣＷ方向と指称する場合もある。
【００４０】
前記伝達機構６０は、図４,図５に示す如く、前記駆動モータ５９の出力軸に連結されたアーム部材６１と、前記設置基体５０にスライド自在に支持された作動部材６２と、アーム部材６１および作動部材６２に夫々回動自在に連繋された連繋部材６３とを備える。作動部材６２は、設置基体５０に対してガイド手段６４によって上下方向にスライド自在に支持されており、駆動モータ５９を駆動することで、アーム部材６１および連繋部材６３を介して作動部材６２が上下方向にスライドするよう構成される。また、作動部材６２には、前記両可動体５１,５２の回転軸を挟んで左右方向に離間する位置に、上下方向に所定長さで延在する第１ラック部６２ａおよび第２ラック部６２ｂが、前後方向にずれると共に正面視において左右に対向するように設けられている。前記第１可動体５１における第１腕部５４の設置基体５０に対する支持端に第１歯車５１ａが設けられており、該第１歯車５１ａが前側に位置する第１ラック部６２ａに噛合している。また、前記第２可動体５２における第１腕部５４の設置基体５０に対する支持端に第２歯車５２ａが設けられており、該第２歯車５２ａが後側に位置する第２ラック部６２ｂに噛合している。すなわち、駆動モータ５９を駆動して作動部材６２がスライドすることで、各ラック部６２ａ,６２ｂと対応する歯車５１ａ,５２ａとの噛合作用によって、第１可動体５１と第２可動体５２とは相互に逆方向に回転するよう構成される。
【００４１】
なお、前記ガイド手段６４は、作動部材６２に設けられて上下方向に延在する長孔６４ａと、設置基体５０に設けられて長孔６４ａに挿通されたガイド部材６４ｂとから構成される。また、作動部材６２に一端が係止されたコイルバネ等の付勢部材６５の他端が、前記設置部材２２に設けた係止部(図示せず)に係止されて、作動部材６２は付勢部材６５によって常には上方に向けて付勢されている。実施例では、作動部材６２の移動許容範囲における上部位置では前記可動体５１,５２が基準位置に位置し、作動部材６２の移動許容範囲における下部位置では可動体５１,５２が限界位置に位置するようになっている。すなわち、前記付勢部材６５は、両可動体５１,５２を常に限界位置に向けて付勢するよう構成されている。
【００４２】
前記駆動モータ５９としてステッピングモータが採用され、該駆動モータ５９は、制御手段７０から送られる１駆動パルスに対応して１ステップ角(例えば、０.５度)だけ回転されるよう設定されている。なお、制御手段７０から送られる駆動パルスの数について、以後、ステップ数(基準駆動値)と指称する場合もある。そして、後述する動作情報に設定されているステップ数(基準駆動値)の駆動パルスが制御手段７０から駆動モータ５９に送られて該駆動モータ５９がステップ数(基準駆動値)分回転駆動されることで、該駆動モータ５９により動作される可動体５１,５２と共に移動する検出部６６,６７,６８を検出可能な検出手段６９の検出状態が切り替わる位置まで、該可動体５１,５２が動作するよう構成されている。なお、実施例のように駆動モータ５９の駆動力を伝達機構６０を介して可動体５１,５２に伝えて動作(回転)するよう構成では、基準位置から限界位置に向けて動作を開始した初期は、中期および終期に比較してステップ数に対して可動体５１,５２の動作量(回転角度)が小さくなっている。また、後述するが、前記制御手段７０は、駆動モータ５９に送ったステップ数(駆動パルス数)をカウントするカウント部７０ｄを備え、該カウント部でカウントされたカウント値に基づいて、後述する異常判定処理において異常が発生したか否かを判定するよう構成される。
【００４３】
(検出部６６,６７,６８について)
一方の可動体５１,５２の設置基体５０に対する支持端部に、周方向に離間して複数の検出部６６,６７,６８が設けられている。実施例では、後側に位置する第２可動体５２の支持端部の裏側に、図５,図６(ｂ)に示す如く、後方に突出する検出部６６,６７,６８が、可動体５１,５２の回転軸を中心として同一半径位置において周方向に離間して設けられている。また、設置基体５０には、各検出部６６,６７,６８を検出可能な位置に検出手段６９が設けられており、該検出手段６９は、可動体５１,５２が基準位置と限界位置との間を動作するのに伴って複数の検出部６６,６７,６８を順に検出し得るよう構成される。検出手段６９は前記制御手段７０に電気的に接続されて、該検出手段６９の検出信号が制御手段７０に入力されるよう構成される。実施例では、３つの検出部６６,６７,６８が設けられており、これらの検出部６６,６７,６８を区別する場合は、可動体５１,５２が基準位置から限界位置へ向けて動作する際の検出順で、第１検出部６６、第２検出部６７および第３検出部６８と指称するものとする。すなわち、可動体５１,５２が基準位置から限界位置へ向けて動作する際には、検出手段６９は、第１検出部６６、第２検出部６７および第３検出部６８の順で検出し、可動体５１,５２が限界位置から基準位置へ向けて動作する際には、検出手段６９は、第３検出部６８、第２検出部６７および第１検出部６６の順で検出する。なお、図６(ｂ),図７(ｂ),図８(ｂ),図９(ｂ)では、各検出部６６,６７,６８にハッチングを付して他の部位と区別している。
【００４４】
前記３つ(複数)の検出部６６,６７,６８は、前記可動体５１,５２の動作に伴って何れかが前記検出手段６９で検出される間隔で離間している。すなわち、可動体５１,５２の動作に伴って検出手段６９は、検出部６６,６７,６８を検出する第１の状態および検出部６６,６７,６８を検出しない第２の状態に交互に切り替わるよう構成される。そして、制御手段７０は、検出手段６９の検出状態の切り替わりを契機として、後述するように駆動モータ５９の動作態様を特定した動作情報を変更して、該動作情報に基づいて駆動モータ５９を駆動制御するよう構成されている。実施例では、検出手段６９における第１の状態から第２の状態への検出状態の切り替わりおよび第２の状態から第１の状態への検出状態の切り替わりの夫々を契機として、制御手段７０が実行される動作情報を変更して次の動作情報に基づいて駆動モータ５９を駆動制御するよう構成されている。
【００４５】
実施例では、前記検出手段６９として発光部と受光部とからなるフォトセンサが用いられ、発光部と受光部との間の光路上に検出部６６,６７,６８が存在していない状態(発光部から発光された光を受光部で受光している受光状態)が、検出部６６,６７,６８を検出手段６９が検出しない第２の状態(図６(ｂ)，図７(ｂ)，図８(ｂ)参照)として設定されると共に、発光部と受光部との間の光路上に検出部６６,６７,６８が存在している状態(発光部から発光された光を受光部で受光していない遮光状態)が、検出部６６,６７,６８を検出手段６９が検出する第１の状態(図９(ｂ)参照)として設定される。そして、実施例では、前記可動体５１,５２の基準位置,第１停止位置,第２停止位置において検出手段６９は第２の状態となるよう設定されると共に、可動体５１,５２の限界位置において検出手段６９は第１の状態となるよう設定されている。また、各検出部６６,６７,６８について、可動体５１,５２が基準位置から限界位置に向けて動作する際の進行方向前端側を限界端部と指称すると共に、進行方向後端側を基準端部と指称する場合がある。
【００４６】
(停止位置について)
前記第１可動演出装置Ｍ１では、前記基準位置および限界位置の間に所定数の停止位置が設定されて、該可動演出装置Ｍ１は、前記駆動モータ５９が制御手段７０で制御されて各可動体５１,５２が各停止位置で停止されることで、前記表示装置１７の前面側において表示部１７ａに各種図柄等が表示される表示領域７１を複数の領域に区画し得るよう構成される。なお、図６(ａ),図７(ａ),図８(ａ),図９(ａ)において表示領域７１を二点鎖線で示している。第１可動演出装置Ｍ１は、図６(ａ)に示す基準位置では、両可動体５１,５２の第１腕部５４,５４が表示領域７１の左側縁側に位置すると共に第２腕部５５,５５が表示領域７１の対応する上縁側および下縁側に位置して、表示領域７１を区画しない状態となっている。実施例では、表示領域７１を区画する２つの停止位置が設定されており、図７,図１０に示す第１停止位置では、両可動体５１,５２の第１装飾部５６,５６が表示領域７１(表示部１７ａ)の中央側で前後に重なることで、該表示領域７１は正面視において２つの可動体５１,５２で囲まれた第１区画領域(領域)７１ａとそれ以外の領域とに区画されるよう構成される。また、図８,図１１に示す第２停止位置では、両可動体５１,５２の第１腕部５４,５４および第２装飾部５７,５７が前後に重なることで、表示領域７１は正面視において２つの可動体５１,５２で仕切られた上下２つの第２区画領域(領域)７１ｂ,７１ｂとそれ以外の領域とに区画されるよう構成される。具体的には、第２停止位置では、第１腕部５４,５４が表示領域７１の上下方向の中間位置で前後に重なった状態で左側縁から表示領域７１の中央に向けて水平に延在すると共に、前後に重なった第２装飾部５７,５７から第２腕部５５,５５が上下方向に延在して第１装飾部５６,５６が表示領域７１の上縁および下縁に位置するよう構成される。これにより、一対の第２腕部５５,５５によって表示領域７１が左右方向に区画されると共に、該第２腕部５５,５５より左側の表示領域７１が更に第１腕部５４,５４によって上下方向に区画される。
【００４７】
ここで、前記２つの可動演出装置Ｍ１,Ｍ２を備える実施例のパチンコ機１０では、両可動演出装置Ｍ１,Ｍ２の可動体５１,５２を夫々第１停止位置に位置決めした状態で、図７(ａ),図１０に示す如く、前記表示領域７１には左右に離間して２つの第１区画領域７１ａ,７１ａが区画される。なお、両可動演出装置Ｍ１,Ｍ２の可動体５１,５２を夫々第１停止位置に位置決めした状態で画成される２つの第１区画領域７１ａ,７１ａ以外の領域について、その他領域７１ｄと指称する場合がある。また、両可動演出装置Ｍ１,Ｍ２の可動体５１,５２を夫々第２停止位置に位置決めした状態で、図８(ａ),図１１に示す如く、前記表示領域７１には左右に離間して４つの第２区画領域７１ｂ,７１ｂ,７１ｂ,７１ｂが区画される。なお、両可動演出装置Ｍ１,Ｍ２の可動体５１,５２を夫々第２停止位置に位置決めした状態では、表示領域７１の中央に、左右に離間して上下方向に延在する第２腕部５５,５５の間に第３区画領域７１ｃが画成されるようになっている。
【００４８】
実施例の可動演出装置Ｍ１,Ｍ２では、可動体５１,５２の停止位置として、前記第１装飾部５６,５６が前後に重なる第１停止位置より基準位置側(手前)で第１装飾部５６,５６が上下方向に離間している第１変則停止位置と、前記第２装飾部５７,５７が前後に重なる第２停止位置より基準位置側(手前)で第２腕部５５,５５が正面視において交差するように前後に重なる第２変則停止位置とが設定されている。すなわち、実施例の可動演出装置Ｍ１,Ｍ２では、前記基準位置および限界位置の間に２つの停止位置と２つの変側停止位置とが設定されている。
【００４９】
(制御手段７０について)
前記制御手段７０は、各種制御処理を実行する制御ＣＰＵ７０ａ、制御ＣＰＵ７０ａが実行する制御プログラムや各種データを記憶する制御ＲＯＭ７０ｂ、制御ＣＰＵ７０ａの処理に必要なデータの書込み・読出しが可能な制御ＲＡＭ７０ｃ等が備えられている。また、制御手段７０は、前記駆動モータ５９に送ったステップ数(駆動パルス数)をカウントするカウント部７０ｄを備えている。カウント部７０ｄは、後述する異常判定処理に際し、検出手段６９の検出状態の切り替わりを契機にリセットされて、次の動作情報に基づく駆動モータ５９の制御開始に伴って制御手段７０から駆動モータ５９に送られたステップ数(駆動パルス数)をカウントするよう設定されている。この制御手段７０には、図１２に示す如く、前記駆動モータ５９,５９、表示装置１７および検出手段６９,６９が電気的に接続されている。制御手段７０の記憶手段としての制御ＲＯＭ７０ｂには、前記駆動モータ５９の動作態様を特定した複数種類の動作情報(後述)が記憶されている。この動作情報は、具体的には図１３に示す如く、駆動モータ５９の動作方向(ＣＣＷ方向、ＣＷ方向)、および該駆動モータ５９の回転量(回転角度)である基準駆動値(ステップ数)を特定する情報である。また、制御ＲＯＭ７０ｂには、前記表示装置１７の表示領域７１に表示する表示内容を制御するための表示制御プログラムや各種の画像データ(図柄、各種背景画像、文字、キャラクタ等の画像データ)が記憶されている。
【００５０】
前記制御ＲＯＭ７０ｂには、前記可動演出装置Ｍ１,Ｍ２における各駆動モータ５９の動作態様を特定する複数の動作情報を組合せた動作パターン(図１５参照)が記憶されると共に、各動作パターンに対応して、表示装置１７の表示領域７１に表示される表示演出の表示内容を特定する表示演出パターンが記憶されている。実施例では、駆動モータ５９を各動作パターンに基づいて動作させることで可動演出装置Ｍ１,Ｍ２の可動体５１,５２で実行される後述する複数種類の演出動作態様に対応して、前記表示装置１７で行なわれる表示演出の表示内容を特定する表示演出パターンが設定されている。そして、制御手段７０(制御ＣＰＵ７０ａ)は、複数の動作パターンの中から１つを決定すると、該動作パターンによって実行される演出動作態様に対応する表示演出パターンに対応する表示データに基づく演出内容の画像を、表示装置１７の表示部１７ａ(表示領域７１)に表示するように該表示装置１７を制御するよう構成されている。
【００５１】
(可動体５１,５２の動作態様について)
前記第１可動演出装置Ｍ１における可動体５１,５２の動作態様として、複数種類が設定されている。実施例では、可動体５１,５２が基準位置と限界位置との間において４箇所で停止する形態では、図１４に示すように、演出に係る９種類の演出動作態様と、可動体５１,５２を基準位置に戻す(原点復帰させる)ための１種類の初期動作態様とが設定されている。そして、可動体５１,５２を演出動作態様や初期動作態様で動作させるように前記駆動モータ５９を動作するための動作パターンが、可動体５１,５２の各動作態様に対応して設定されている。言い替えると、前記駆動モータ５９を動作パターンに基づいて動作させることで、可動体５１,５２が対応する演出動作態様や初期動作態様で動作するよう構成される。実施例では、９種類の演出動作態様に対応する９種類の動作パターンが演出用の動作パターンであり、１種類の初期動作態様に対応する１種類の動作パターンが初期動作パターンである。各動作パターンでは、駆動モータ５９の動作態様を特定するための複数の動作情報の組合わせ、および該動作情報の実行順序が特定されている(図１５参照)。駆動モータ５９の動作態様を特定するための動作情報として、具体的には駆動モータ５９の動作方向(ＣＣＷ方向,ＣＷ方向)と、該駆動モータ５９の回転量(回転角度)を特定する基準駆動値(ステップ数)とが設定されている。
【００５２】
(動作パターンと動作態様との関係について)
当該パチンコ機１０に設定されている１０種類の動作パターン(演出用の動作パターンおよび初期動作パターン)と、各動作パターンに基づいて駆動モータ５９が動作されることで実行される可動体５１,５２の動作態様との関係について、図１４を参照して説明する。なお、９種類の演出用の動作パターンについては、第１の動作パターン、第２の動作パターン・・・第９の動作パターンと指称して区別する。
【００５３】
第１の動作パターンに基づいて駆動モータ５９を駆動することで実行される可動体５１,５２の第１の演出動作態様は、基準位置から動作を開始した可動体５１,５２が、第１停止位置まで動作して該第１停止位置で停止した後に、該第１停止位置から基準位置まで停止することなく戻るように動作される動作態様となっている。
第２の動作パターンに基づいて駆動モータ５９を駆動することで実行される可動体５１,５２の第２の演出動作態様は、基準位置から動作を開始した可動体５１,５２が、第２停止位置まで停止することなく動作して該第２停止位置で停止した後に、該第２停止位置から基準位置まで停止することなく戻るように動作される動作態様となっている。
第３の動作パターンに基づいて駆動モータ５９を駆動することで実行される可動体５１,５２の第３の演出動作態様は、基準位置から動作を開始した可動体５１,５２が、第１停止位置まで動作されて該第１停止位置で停止し、次いで第１停止位置から第２停止位置まで動作されて該第２停止位置で停止した後に、該第２停止位置から基準位置まで停止することなく戻るように動作される動作態様となっている。
第４の動作パターンに基づいて駆動モータ５９を駆動することで実行される可動体５１,５２の第４の演出動作態様は、基準位置から動作を開始した可動体５１,５２が、第２停止位置まで停止することなく動作して該第２停止位置で停止し、次いで第２停止位置から第１停止位置まで動作されて該第１停止位置で停止した後に、該第１停止位置から基準位置まで停止することなく戻るように動作される動作態様となっている。
第５の動作パターンに基づいて駆動モータ５９を駆動することで実行される可動体５１,５２の第５の演出動作態様は、基準位置から動作を開始した可動体５１,５２が、限界位置まで停止することなく動作して該限界位置で停止した後に、該限界位置から基準位置まで停止することなく戻るように動作される動作態様となっている。
第６の動作パターンに基づいて駆動モータ５９を駆動することで実行される可動体５１,５２の第６の演出動作態様は、基準位置から動作を開始した可動体５１,５２が、第１停止位置、第２停止位置および限界位置の各位置まで順に動作して各位置で停止した後に、限界位置から基準位置まで停止することなく戻るように動作される動作態様となっている。
第７の動作パターンに基づいて駆動モータ５９を駆動することで実行される可動体５１,５２の第７の演出動作態様は、基準位置から動作を開始した可動体５１,５２が、第１停止位置、第２停止位置および限界位置の各位置まで順に動作して各位置で停止し、次いで限界位置から基準位置に戻る際に第２停止位置および第１停止位置の各位置まで順に動作して各位置で停止した後に、第１停止位置から基準位置まで停止することなく戻るように動作される動作態様となっている。
第８の動作パターンに基づいて駆動モータ５９を駆動することで実行される可動体５１,５２の第８の演出動作態様は、基準位置から動作を開始した可動体５１,５２が、第１変則停止位置(第１停止位置の手前の位置)まで動作して該第１変則停止位置で停止した後に、該第１変則停止位置から基準位置まで停止することなく戻るように動作される動作態様となっている。
第９の動作パターンに基づいて駆動モータ５９を駆動することで実行される可動体５１,５２の第９の演出動作態様は、基準位置から動作を開始した可動体５１,５２が、第２変則停止位置(第１停止位置と第２停止位置との間の位置)まで停止することなく動作して該第２変則停止位置で停止した後に、該第２変則停止位置から基準位置まで停止することなく戻るように動作される動作態様となっている。
【００５４】
前記初期動作パターンに基づいて駆動モータ５９を駆動することで実行される可動体５１,５２の初期動作様態は、電源投入時やパチンコ機１０の初期化処理時等に可動体５１,５２を基準位置に戻すための動作様態であって、可動体５１,５２の現在位置に関係なく該可動体５１,５２が、限界位置に向けて動作して該限界位置で停止した後に、該限界位置から基準位置まで停止することなく戻るように動作される動作態様となっている。
【００５５】
ここで、前記可動体５１,５２の各演出動作態様(動作パターン)に対応して前記表示装置１７の表示領域７１に表示される演出内容について説明する。各演出動作態様に対応する表示演出パターンでは、対応する演出動作態様(動作パターン)で動作する可動体５１,５２が第１停止位置で停止した状態では、図７,図１０に示すように該可動体５１,５２で区画された第１区画領域７１ａに、その他領域７１ｄとは異なる画像を表示するよう設定される。また、可動体５１,５２が第２停止位置で停止した状態では、図８,図１１に示すように該可動体５１,５２で区画された第２区画領域７１ｂおよび２つの可動演出装置Ｍ１,Ｍ２の両可動体５１,５２の間に区画された第３区画領域７１ｃの夫々に異なる画像を表示するよう設定される。
【００５６】
(検出手段６９の検出状態の切り替わりタイミングと基準位置、限界位置、各停止位置との関係について)
ここで、実施例における前記検出手段６９による各検出部６６,６７,６８の検出状態の切り替りタイミングと各位置までの可動体５１,５２を動作させるのに必要となる駆動モータ５９のステップ数との関係について説明する。
【００５７】
(基準位置と第１停止位置との関係)
前記検出手段６９は、前述したように、前記可動体５１,５２の基準位置では第１検出部６６を検出しない第２の状態となるよう設定されている(図６(ｂ)参照)。そして、駆動モータ５９がＣＣＷ方向に第１ステップ数(実施例では１１４ステップ)分回転駆動されることで、基準位置の可動体５１,５２は、検出手段６９が第１検出部６６を検出して第１の状態に切り替わる位置(検出状態が切り替わる位置)まで動作するよう設定される。また、検出手段６９が第１検出部６６を検出して第１の状態に切り替わったときから駆動モータ５９がＣＣＷ方向に向けて第２ステップ数(実施例では６３ステップ)分回転駆動されることで、可動体５１,５２は、検出手段６９が第１検出部６６を検出しなくなって第２の状態に切り替わる位置(検出状態が切り替わる位置)まで動作するよう設定される。そして、検出手段６９が第２の状態に切り替わったときから駆動モータ５９がＣＣＷ方向に向けて更に第３ステップ数(実施例では２３ステップ)分回転駆動されることで、可動体５１,５２が前記第１停止位置に至るよう設定される(図７(ａ),図１５の第１の動作パターン参照)。具体的には、基準位置の可動体５１,５２を限界位置に向けて動作させる駆動モータ５９がＣＣＷ方向に１１４ステップ分回転駆動されることで、第１検出部６６の限界端部が検出手段６９の光路に進入して検出手段６９が受光状態から遮光状態に切り替わって検出手段６９が第１検出部６６を検出するよう設定される。また、検出手段６９の光路が第１検出部６６の限界端部で遮られて第１の状態に切り替わったときから駆動モータ５９がＣＣＷ方向に向けて６３ステップ分回転駆動されることで、第１検出部６６の基準端部が検出手段６９の光路を通過して検出手段６９が遮光状態から受光状態に切り替わって検出手段６９が第１検出部６６を検出しなくなるよう設定される。そして、第１検出部６６の基準端部が検出手段６９の光路を通過して第２の状態に切り替わったときから駆動モータ５９がＣＣＷ方向に向けて更に２３ステップ分回転駆動されることで、検出手段６９が第２検出部６７を検出する前に可動体５１,５２が第１停止位置に至るよう設定される。すなわち、可動体５１,５２の第１停止位置では、図７(ｂ)に示す如く、検出手段６９が第１検出部６６と第２検出部６７との間に位置して、両検出部６６,６７の何れも検出しない状態(第２の状態)となっている。
【００５８】
(基準位置と第２停止位置との関係)
基準位置の可動体５１,５２を限界位置に向けて動作させる駆動モータ５９が、ＣＣＷ方向に前記第１ステップ数(１１４ステップ)＋第２ステップ数(６３ステップ)分回転駆動されて、前記検出手段６９が第１検出部６６を検出しなくなって(第１検出部６６の基準端部が検出手段６９の光路を通過して)第２の状態に切り替わったときから駆動モータ５９がＣＣＷ方向に向けて第４ステップ数(実施例では４６ステップで、第３ステップ数の倍)分回転駆動されることで、可動体５１,５２は、検出手段６９が第２検出部６７を検出して第１の状態に切り替わる位置(検出状態が切り替わる位置)まで動作するよう設定される。また、検出手段６９が第２検出部６７を検出して第１の状態に切り替わったときから駆動モータ５９がＣＣＷ方向に向けて第５ステップ数(実施例では１５ステップ)分回転駆動されることで、可動体５１,５２は、検出手段６９が第２検出部６７を検出しなくなって第２の状態に切り替わる位置(検出状態が切り替わる位置)まで動作するよう設定される。そして、検出手段６９が第２の状態に切り替わったときから駆動モータ５９がＣＣＷ方向に向けて更に第６ステップ数(実施例では２５ステップ)分回転駆動されることで、可動体５１,５２が前記第２停止位置に至るよう設定される(図８(ａ),図１５の第２の動作パターン参照)。具体的には、基準位置の可動体５１,５２を限界位置に向けて動作させる駆動モータ５９がＣＣＷ方向に１７７ステップ分回転駆動されることで、第１検出部６６の基準端部が検出手段６９の光路を通過して該検出手段６９が遮光状態から受光状態に切り替わって検出手段６９が第１検出部６６を検出しなくなるよう設定される。そして、第１検出部６６の基準端部が検出手段６９の光路を通過して第２の状態に切り替わったときから駆動モータ５９がＣＣＷ方向に向けて４６ステップ分回転駆動されることで、第２検出部６７の限界端部が検出手段６９の光路に進入して該検出手段６９が受光状態から遮光状態に切り替わって検出手段６９が第２検出部６７を検出するよう設定される。また、検出手段６９の光路が第２検出部６７の限界端部で遮られて第１の状態に切り替わったときから駆動モータ５９がＣＣＷ方向に向けて１５ステップ分回転駆動されることで、第２検出部６７の基準端部が検出手段６９の光路を通過して該検出手段６９が遮光状態から受光状態に切り替わって検出手段６９が第２検出部６７を検出しなくなるよう設定される。そして、第２検出部６７の基準端部が検出手段６９の光路を通過して第２の状態に切り替わったときから駆動モータ５９がＣＣＷ方向に向けて更に２５ステップ分回転駆動されることで、検出手段６９が第３検出部６８を検出する前に可動体５１,５２が第２停止位置に至るよう設定される。すなわち、可動体５１,５２の第２停止位置では、図８(ｂ)に示す如く、検出手段６９が第２検出部６７と第３検出部６８との間に位置して、両検出部６７,６８の何れも検出しない状態(第２の状態)となっている。
【００５９】
(基準位置と第１変則停止位置との関係)
基準位置の可動体５１,５２を限界位置に向けて動作させる駆動モータ５９がＣＣＷ方向に前記第１ステップ数(１１４ステップ)分回転駆動されて、前記検出手段６９が第１検出部６６を検出して(第１検出部６６の限界端部が検出手段６９の光路に進入して)第１の状態に切り替わったときから駆動モータ５９がＣＣＷ方向に向けて第９ステップ数(実施例では３０ステップ)分回転駆動されることで、可動体５１,５２が前記第１変則停止位置に至るよう設定される(図１５の第８の動作パターン参照)。第９ステップ数は、前記第２ステップ数より小さく設定されており、第１検出部６６の基準端部が検出手段６９の光路を通過する前に可動体５１,５２が第１変則停止位置に至るようになっている。すなわち、可動体５１,５２の第１変則停止位置では、検出手段６９が第１検出部６６を検出する状態(第１の状態)となっている。
【００６０】
(基準位置と第２変則停止位置との関係)
基準位置の可動体５１,５２を限界位置に向けて動作させる駆動モータ５９がＣＣＷ方向に前記第１ステップ数(１１４ステップ)＋第２ステップ数(６３ステップ)＋第４ステップ数(４６ステップ)分回転駆動されて、前記検出手段６９が第２検出部６７を検出して(第２検出部６７の限界端部が検出手段６９の光路に進入して)第１の状態に切り替わったときから駆動モータ５９がＣＣＷ方向に向けて第１０ステップ数(実施例では８ステップ)分回転駆動されることで、可動体５１,５２が前記第２変則停止位置に至るよう設定される(図１５の第９の動作パターン参照)。第１０ステップ数は、前記第５ステップ数より小さく設定されており、第２検出部６７の基準端部が検出手段６９の光路を通過する前に可動体５１,５２が第２変則停止位置に至るようになっている。すなわち、可動体５１,５２の第２変則停止位置では、検出手段６９が第２検出部６７を検出する状態(第１の状態)となっている。
【００６１】
(基準位置と限界位置との関係)
基準位置の可動体５１,５２は、駆動モータ５９をＣＣＷ方向に向けて限界駆動値(ステップ数)分回転駆動させることで、限界位置まで動作するよう設定されている。実施例では、限界駆動値のステップ数として３４０ステップが設定されており、駆動モータ５９を３４０ステップ分回転駆動することで、基準位置の可動体５１,５２が限界位置まで動作するよう構成される(図９(ａ)参照)。言い替えると、基準位置と限界位置との間の何れの位置に可動体５１,５２が位置している状態であっても、駆動モータ５９をＣＣＷ方向に向けて限界駆動値(３４０ステップ)分回転駆動させることで、可動体５１,５２を前記限界ストッパに当接する限界位置まで確実に動作させ得るようになっている。
【００６２】
(第１停止位置と第２停止位置との関係)
前記検出手段６９が第１検出部６６と第２検出部６７との間に位置する第１停止位置の可動体５１,５２は、駆動モータ５９がＣＣＷ方向に向けて第３ステップ数(２３ステップ)分回転駆動されることで、検出手段６９が第２検出部６７を検出して第１の状態に切り替わる位置まで動作するよう設定される。そして、前記基準位置と第２停止位置との関係で述べた如く、検出手段６９が第２検出部６７を検出して第１の状態に切り替わったときから駆動モータ５９がＣＣＷ方向に向けて第５ステップ数(１５ステップ)分回転駆動されることで、検出手段６９が第２検出部６７を検出しなくなって第２の状態に切り替わる位置まで可動体５１,５２が動作し、更に駆動モータ５９がＣＣＷ方向に向けて第６ステップ数(２５ステップ)分回転駆動されることで、可動体５１,５２が前記第２停止位置に至るよう設定される。すなわち、駆動モータ５９を、第３ステップ数＋第５ステップ数＋第６ステップ数分回転駆動することで、可動体５１,５２は第１停止位置と第２停位置との間を動作するよう構成される。
【００６３】
(第２停止位置と限界位置との関係)
前記検出手段６９が第２検出部６７と第３検出部６８との間に位置する第２停止位置の可動体５１,５２は、駆動モータ５９がＣＣＷ方向に向けて第６ステップ数(２５ステップ)分回転駆動されることで、検出手段６９が第３検出部６８を検出して第１の状態に切り替わる位置まで可動体５１,５２が動作するよう設定される。そして、検出手段６９が第３検出部６８を検出して第１の状態に切り替わったときから駆動モータ５９がＣＣＷ方向に向けて第７ステップ数(実施例では５２ステップ)分回転駆動されることで、可動体５１,５２が限界位置に至るよう設定される。可動体５１,５２が限界位置に位置する状態では、図９(ｂ)に示す如く、第３検出部６８が検出手段６９の発光部と受光部との間の光路に臨んで、該検出手段６９が第３検出部６８を検出する第１の状態となっている。
【００６４】
(動作情報について)
前記駆動モータ５９の動作態様を特定するための動作情報について、詳細に説明する。実施例では、動作情報として、図１３に示す如く、第１の動作情報〜第１９の動作情報までの１９種類の演出動作情報と、１種類の初期動作情報とが設定されている。そして、これらの演出動作情報および初期動作情報は、前記制御手段７０の制御ＲＯＭ７０ｂに記憶されている。
【００６５】
図１３に示す第１〜第５の動作情報は、前記駆動モータ５９の駆動方向がＣＣＷ方向に設定されており、前記可動体５１,５２を基準位置側から限界位置側に向けて動作させる動作情報として設定されている。そして、第１〜第５の動作情報では、駆動モータ５９を駆動させるための基準駆動値として、夫々異なる値が設定されている。
【００６６】
第１の動作情報の基準駆動値として、基準位置の可動体５１,５２を限界位置に向けて動作させるように駆動モータ５９がＣＣＷ方向に駆動された場合に、前記検出手段６９が第１検出部６６(限界端部)を検出して第２の状態から第１の状態に切り替わる位置まで可動体５１,５２を動作させる第１ステップ数(１１４ステップ)が設定されている。
第２の動作情報の基準駆動値として、検出手段６９の光路が第１検出部６６の限界端部で遮られて第２の状態から第１の状態に切り替わったときの可動体５１,５２の位置から、該可動体５１,５２を限界位置に向けて動作させるように駆動モータ５９がＣＣＷ方向に駆動された場合に、第１検出部６６の基準端部が検出手段６９の光路を通過して検出手段６９が第１の状態から第２の状態に切り替わる位置まで可動体５１,５２を動作させる第２ステップ数(６３ステップ)が設定されている。
第３の動作情報の基準駆動値として、第１検出部６６の基準端部が検出手段６９の光路を通過して該検出手段６９が第１の状態から第２の状態に切り替わったときの可動体５１,５２の位置から、該可動体５１,５２を限界位置に向けて動作させるように駆動モータ５９がＣＣＷ方向に駆動された場合に、第２検出部６７の限界端部が検出手段６９の光路に進入して該検出手段６９が第２の状態から第１の状態に切り替わる位置まで可動体５１,５２を動作させる第４ステップ数(４６ステップ)が設定されている。
第４の動作情報の基準駆動値として、検出手段６９の光路が第２検出部６７の限界端部で遮られて第２の状態から第１の状態に切り替わったときの可動体５１,５２の位置から、該可動体５１,５２を限界位置に向けて動作させるように駆動モータ５９がＣＣＷ方向に駆動された場合に、第２検出部６７の基準端部が検出手段６９の光路を通過して該検出手段６９が第１の状態から第２の状態に切り替わる位置まで可動体５１,５２を動作させる第５ステップ数(１５ステップ)が設定されている。
第５の動作情報の基準駆動値として、第２検出部６７の基準端部が検出手段６９の光路を通過して該検出手段６９が第１の状態から第２の状態に切り替わったときの可動体５１,５２の位置から、該可動体５１,５２を限界位置に向けて動作させるように駆動モータ５９がＣＣＷ方向に駆動された場合に、第３検出部６８の限界端部が検出手段６９の光路に進入して該検出手段６９が第２の状態から第１の状態に切り替わる位置まで可動体５１,５２を動作させる第８ステップ数(５０ステップ)が設定されている。
【００６７】
図１３に示す第６〜第１０の動作情報は、前記第１〜第５の動作情報とは駆動モータ５９の駆動方向が逆(ＣＷ方向)に設定されており、可動体５１,５２を限界位置側から基準位置側に向けて動作させる動作情報として設定されている。そして、第６〜第１０の動作情報では、駆動モータ５９を駆動させるための基準駆動値として、夫々異なる値が設定されている。
【００６８】
第６の動作情報は、前記第５の動作情報と対応するものであって、該第６の動作情報の基準駆動値として、限界位置から基準位置に向けて可動体５１,５２が動作することで第３検出部６８の限界端部が検出手段６９の光路を通過して該検出手段６９が第１の状態から第２の状態に切り替わったときの可動体５１,５２の位置から、該可動体５１,５２を基準位置に向けて動作させるように駆動モータ５９がＣＷ方向に駆動された場合に、第２検出部６７の基準端部が検出手段６９の光路に進入して該検出手段６９が第２の状態から第１の状態に切り替わる位置まで可動体５１,５２を動作させる第８ステップ数(５０ステップ)が設定されている。
第７の動作情報は、前記第４の動作情報と対応するものであって、該第７の動作情報の基準駆動値として、第２検出部６７の基準端部が検出手段６９の光路に進入して該検出手段６９が第２の状態から第１の状態に切り替わったときの可動体５１,５２の位置から、該可動体５１,５２を基準位置(ＣＷ方向)に向けて動作させるように駆動モータ５９がＣＷ方向に駆動された場合に、第２検出部６７の限界端部が検出手段６９の光路を通過して該検出手段６９が第１の状態から第２の状態に切り替わる位置まで可動体５１,５２を動作させる第５ステップ数(１５ステップ)が設定されている。
第８の動作情報は、前記第３の動作情報と対応するものであって、該第８の動作情報の基準駆動値として、第２検出部６７の限界端部が検出手段６９の光路を通過して該検出手段６９が第１の状態から第２の状態に切り替わったときの可動体５１,５２の位置から、該可動体５１,５２を基準位置に向けて動作させるように駆動モータ５９がＣＷ方向に駆動された場合に、第１検出部６６の基準端部が検出手段６９の光路に進入して該検出手段６９が第２の状態から第１の状態に切り替わる位置まで可動体５１,５２を動作させる第４ステップ数(４６ステップ)が設定されている。
第９の動作情報は、前記第２の動作情報と対応するものであって、該第９の動作情報の基準駆動値として、第１検出部６６の基準端部が検出手段６９の光路に進入して該検出手段６９が第２の状態から第１の状態に切り替わったときの可動体５１,５２の位置から、該可動体５１,５２を基準位置に向けて動作させるように駆動モータ５９がＣＷ方向に駆動された場合に、第１検出部６６の限界端部が検出手段６９の光路を通過して該検出手段６９が第１の状態から第２の状態に切り替わる位置まで可動体５１,５２を動作させる第２ステップ数(６３ステップ)が設定されている。
第１０の動作情報は、前記第１の動作情報と対応するものであって、該第１０の動作情報の基準駆動値として、第１検出部６６の限界端部が検出手段６９の光路を通過して該検出手段６９が第１の状態から第２の状態に切り替わったときの可動体５１,５２の位置から、該可動体５１,５２を基準位置に向けて動作させるように駆動モータ５９がＣＷ方向に駆動された場合に、該可動体５１,５２を基準位置まで動作させる第１ステップ数(１１４ステップ)が設定されている。
【００６９】
図１３に示す第１１〜第１５の動作情報は、駆動モータ５９の駆動方向として、ＣＣＷ方向→停止→ＣＷ方向が設定されており、可動体５１,５２を基準位置側から限界位置側へ向けて動作して一旦停止させてから基準位置側に向けて戻すように動作させる動作情報として設定されている。
【００７０】
第１１の動作情報におけるＣＣＷ方向への基準駆動値として、第１検出部６６の基準端部が検出手段６９の光路を通過して第１の状態から第２の状態に切り替わったときの可動体５１,５２の位置から、該可動体５１,５２を限界位置に向けて動作させるように駆動モータ５９がＣＣＷ方向に駆動された場合に、該可動体５１,５２を第１停止位置まで動作させる第３ステップ数(２３ステップ)が設定される。また、第１１の動作情報におけるＣＷ方向への基準駆動値として、第１停止位置の可動体５１,５２を基準位置に向けて動作させるように駆動モータ５９がＣＷ方向に駆動された場合に、第１検出部６６の基準端部が検出手段６９の光路に進入して該検出手段６９が第２の状態から第１の状態に切り替わる位置まで可動体５１,５２を動作させる第３ステップ数(２３ステップ)が設定されている。
第１２の動作情報におけるＣＣＷ方向への基準駆動値として、第２検出部６７の基準端部が検出手段６９の光路を通過して第１の状態から第２の状態に切り替わったときの可動体５１,５２の位置から、該可動体５１,５２を限界位置に向けて動作させるように駆動モータ５９がＣＣＷ方向に駆動された場合に、該可動体５１,５２を第２停止位置まで動作させる第６ステップ数(２５ステップ)が設定される。また、第１２の動作情報におけるＣＷ方向への基準駆動値として、第２停止位置の可動体５１,５２を基準位置に向けて動作させるように駆動モータ５９がＣＷ方向に駆動された場合に、第２検出部６７の基準端部が検出手段６９の光路に進入して該検出手段６９が第２の状態から第１の状態に切り替わる位置まで可動体５１,５２を動作させる第６ステップ数(２５ステップ)が設定されている。
【００７１】
第１３の動作情報におけるＣＣＷ方向への基準駆動値として、第３検出部６８の限界端部が検出手段６９の光路に進入して第２の状態から第１の状態に切り替わったときの可動体５１,５２の位置から、該可動体５１,５２を限界位置に向けて動作させるように駆動モータ５９がＣＣＷ方向に駆動された場合に、該可動体５１,５２を限界位置まで動作させる第７ステップ数(５２ステップ)が設定される。また、第１３の動作情報におけるＣＷ方向への基準駆動値として、限界位置の可動体５１,５２を基準位置に向けて動作させるように駆動モータ５９がＣＷ方向に駆動された場合に、第３検出部６８の限界端部が検出手段６９の光路を通過して該検出手段６９が第１の状態から第２の状態に切り替わる位置まで可動体５１,５２を動作させる第７ステップ数(５２ステップ)が設定されている。
【００７２】
第１４の動作情報におけるＣＣＷ方向への基準駆動値として、第１検出部６６の限界端部が検出手段６９の光路に進入して第２の状態から第１の状態に切り替わったときの可動体５１,５２の位置から、該可動体５１,５２を限界位置に向けて動作させるように駆動モータ５９がＣＣＷ方向に駆動された場合に、該可動体５１,５２を第１変則停止位置まで動作させる第９ステップ数(３０ステップ)が設定される。また、第１４の動作情報におけるＣＷ方向への基準駆動値とし、第１変則停止位置の可動体５１,５２を基準位置に向けて動作させるように駆動モータ５９がＣＷ方向に駆動された場合に、第１検出部６６の限界端部が検出手段６９の光路を通過して該検出手段６９が第１の状態から第２の状態に切り替わる位置まで可動体５１,５２を動作させる第９ステップ数(３０ステップ)が設定されている。
【００７３】
第１５の動作情報におけるＣＣＷ方向への基準駆動値として、第２検出部６７の限界端部が検出手段６９の光路に進入して第２の状態から第１の状態に切り替わったときの可動体５１,５２の位置から、該可動体５１,５２を限界位置に向けて動作させるように駆動モータ５９がＣＣＷ方向に駆動された場合に、該可動体５１,５２を第２変則停止位置まで動作させる第１０ステップ数(８ステップ)が設定される。また、第１５の動作情報におけるＣＷ方向への基準駆動値とし、第２変則停止位置の可動体５１,５２を基準位置に向けて動作させるように駆動モータ５９がＣＷ方向に駆動された場合に、第２検出部６７の限界端部が検出手段６９の光路を通過して該検出手段６９が第１の状態から第２の状態に切り替わる位置まで可動体５１,５２を動作させる第１０ステップ数(８ステップ)が設定されている。
【００７４】
図１３に示す第１６〜第１７の動作情報は、駆動モータ５９の駆動方向として、ＣＣＷ方向→停止→ＣＣＷ方向が設定されており、可動体５１,５２を基準位置側から限界位置側へ向けて動作して一旦停止させてから更に限界位置側に向けて動作させる動作情報として設定されている。
【００７５】
第１６の動作情報における停止前のＣＣＷ方向への基準駆動値として、第１検出部６６の基準端部が検出手段６９の光路を通過して該検出手段６９が第１の状態から第２の状態に切り替わったときの可動体５１,５２の位置から、該可動体５１,５２を限界位置に向けて動作させるように駆動モータ５９がＣＣＷ方向に駆動された場合に、該可動体５１,５２を第１停止位置まで動作させる第３ステップ数(２３ステップ)が設定される。また、第１６の動作情報における停止後のＣＣＷ方向への基準駆動値として、第１停止位置の可動体５１,５２を限界位置に向けて動作させるように駆動モータ５９がＣＣＷ方向に駆動された場合に、第２検出部６７の限界端部が検出手段６９の光路に進入して第２の状態から第１の状態に切り替わる位置まで可動体５１,５２を動作させる第３ステップ数(２３ステップ)が設定されている。
【００７６】
第１７の動作情報における停止前のＣＣＷ方向への基準駆動値として、第２検出部６７の基準端部が検出手段６９の光路を通過して該検出手段６９が第１の状態から第２の状態に切り替わったときの可動体５１,５２の位置から、該可動体５１,５２を限界位置に向けて動作させるように駆動モータ５９がＣＣＷ方向に駆動された場合に、該可動体５１,５２を第２停止位置まで動作させる第６ステップ数(２５ステップ)が設定される。また、第１７の動作情報における停止後のＣＣＷ方向への基準駆動値として、第２停止位置の可動体５１,５２を限界位置に向けて動作させるように駆動モータ５９がＣＣＷ方向に駆動された場合に、第３検出部６８の限界端部が検出手段６９の光路に進入して第２の状態から第１の状態に切り替わる位置まで可動体５１,５２を動作させる第６ステップ数(２５ステップ)が設定されている。
【００７７】
図１３に示す第１８〜第１９の動作情報は、駆動モータ５９の駆動方向として、ＣＷ方向→停止→ＣＷ方向が設定されており、可動体５１,５２を限界位置側から基準位置側へ向けて動作して一旦停止させてから更に基準位置側に向けて動作させる動作情報として設定されている。
【００７８】
第１８の動作情報における停止前のＣＷ方向への基準駆動値として、第２検出部６７の限界端部が検出手段６９の光路を通過して該検出手段６９が第１の状態から第２の状態に切り替わったときの可動体５１,５２の位置から、該可動体５１,５２を基準位置に向けて動作させるように駆動モータ５９がＣＷ方向に駆動された場合に、該可動体５１,５２を第１停止位置まで動作させる第３ステップ数(２３ステップ)が設定される。また、第１８の動作情報における停止後のＣＷ方向への基準駆動値として、第１停止位置の可動体５１,５２を基準位置に向けて動作させるように駆動モータ５９がＣＷ方向に駆動された場合に、第１検出部６６の基準端部が検出手段６９の光路に進入して第２の状態から第１の状態に切り替わる位置まで可動体５１,５２を動作させる第３ステップ数(２３ステップ)が設定されている。
【００７９】
第１９の動作情報における停止前のＣＷ方向への基準駆動値として、第３検出部６８の限界端部が検出手段６９の光路を通過して該検出手段６９が第１の状態から第２の状態に切り替わったときの可動体５１,５２の位置から、該可動体５１,５２を基準位置に向けて動作させるように駆動モータ５９がＣＷ方向に駆動された場合に、該可動体５１,５２を第２停止位置まで動作させる第６ステップ数(２５ステップ)が設定される。また、第１９の動作情報における停止後のＣＷ方向への基準駆動値として、第２停止位置の可動体５１,５２を基準位置に向けて動作させるように駆動モータ５９がＣＷ方向に駆動された場合に、第２検出部６７の基準端部が検出手段６９の光路に進入して第２の状態から第１の状態に切り替わる位置まで可動体５１,５２を動作させる第６ステップ数(２５ステップ)が設定されている。
【００８０】
図１３に示す初期動作情報は、駆動モータ５９の駆動方向として、ＣＣＷ方向→停止→ＣＷ方向が設定されており、該初期動作情報は、電源投入時やパチンコ機１０の初期化処理時等に可動体５１,５２を基準位置に復帰(原点復帰)させる動作情報として設定されている。すなわち、初期動作情報におけるＣＣＷ方向への基準駆動値として、可動体５１,５２を基準位置から限界位置まで動作させるために必要な限界駆動値以上(実施例では限界駆動値である３４０ステップ)が設定されている。また、初期動作情報におけるＣＷ方向への基準駆動値として、限界位置の可動体５１,５２を基準位置に向けて動作させるように駆動モータ５９がＣＷ方向に駆動された場合に、第３検出部６８の限界端部が検出手段６９の光路を通過して第１の状態から第２の状態に切り替わる位置まで可動体５１,５２を動作させる第７ステップ数(５２ステップ)が設定されている。
【００８１】
ここで、前記１９種類の演出動作情報のうち、前記可動体５１,５２を第１停止位置で停止させる第１１の動作情報、第１６の動作情報、第１８の動作情報および可動体５１,５２を第２停止位置で停止させる第１２の動作情報、第１７の動作情報、第１９の動作情報が、検出手段６９の検出状態の切り替わりから可動体５１,５２を停止位置まで動作させるために必要な駆動値となるよう基準駆動値が設定された停止動作情報を含んでいる。具体的には、第１１の動作情報における駆動モータ５９をＣＣＷ方向に第３ステップ数(２３ステップ)分回転駆動するように設定された動作情報、第１６の動作情報における停止前の駆動モータ５９をＣＣＷ方向に第３ステップ数(２３ステップ)分回転駆動するように設定された動作情報、第１８の動作情報における停止前の駆動モータ５９をＣＷ方向に第３ステップ数(２３ステップ)分回転駆動するように設定された動作情報、第１２の動作情報における駆動モータ５９をＣＣＷ方向に第６ステップ数(２５ステップ)分回転駆動するように設定された動作情報、第１７の動作情報における停止前の駆動モータ５９をＣＣＷ方向に第６ステップ数(２５ステップ)分回転駆動するように設定された動作情報、第１９の動作情報における停止前の駆動モータ５９をＣＷ方向に第６ステップ数(２５ステップ)分回転駆動するように設定された動作情報の夫々が、停止動作情報として設定されている。
【００８２】
実施例では、図１３に示す第１〜第１９の動作情報を組合わせることで、図１５に示す如く、第１の動作パターン〜第９の動作パターンが構成されている。そして、各動作パターンに設定されている動作情報を、前記検出手段６９の検出状態の切り替わりを契機として制御手段７０が実行順序通りに変更して、該動作情報に基づいて前記駆動モータ５９を制御手段７０が駆動制御することで(図１７(ｂ)参照)、各動作パターンに対応するよう動作態様で前記可動体５１,５２が動作するよう構成されている。例えば、第３の動作パターンは、１番目〜９番目までの９個の動作情報から構成され、１番目から９番目の動作情報として、第１の動作情報、第２の動作情報、第１６の動作情報、第４の動作情報、第１２の動作情報、第７の動作情報、第８の動作情報、第９の動作情報および第１０の動作情報が順に設定されている。また、第６の動作パターンは、１番目〜１１番目までの１１個の動作情報から構成され、１番目から１１番目の動作情報として、第１の動作情報、第２の動作情報、第１６の動作情報、第４の動作情報、第１７の動作情報、第１３の動作情報、第６の動作情報、第７の動作情報、第８の動作情報、第９の動作情報および第１０の動作情報が順に設定されている。
【００８３】
(初期動作パターンについて)
電源投入時等に実行される初期動作パターンは、図１６に示す如く、１番目〜６番目の動作情報から構成され、１番目の動作情報として初期動作情報が設定され、２番目の動作情報として第６の動作情報が設定され、３番目の動作情報として第７の動作情報が設定され、４番目の動作情報として第８の動作情報が設定され、５番目の動作情報として第９の動作情報が設定され、６番目の動作情報として第１０の動作情報が設定されている。
【００８４】
前記初期動作パターンに基づき実行される駆動モータ５９の動作態様につき、図１７(ａ)に示す電源投入時の場合で説明する。すなわち、電源投入時には、前記制御手段７０は、駆動モータ５９を動作させるための動作パターンとして初期動作パターンを決定し、該初期動作パターンに設定されている動作情報に基づいて駆動モータ５９を駆動制御することで、可動体５１,５２を基準位置に戻す(原点復帰させる)よう構成される。具体的に、制御手段７０は、駆動モータ５９を動作させる動作情報として、初期動作パターンにおける１番目の動作情報である初期動作情報を決定し、該初期動作情報に基づいて駆動モータ５９をＣＣＷ方向に３４０ステップ分回転駆動する。電源投入時には可動体５１,５２はどの位置にいるのか分からないが、可動体５１,５２を基準位置から限界位置まで動作させるのに必要な限界駆動値である３４０ステップ分だけ駆動モータ５９をＣＣＷ方向に回転駆動することで、可動体５１,５２を限界位置まで確実に動作させることができる。
【００８５】
前記駆動モータ５９を３４０ステップ分回転駆動して停止した後、制御手段７０は前記初期動作情報に基づいて駆動モータ５９をＣＷ方向に５２ステップ分回転駆動する。限界位置に可動体５１,５２が位置する状態では、図９(ｂ)に示す如く、前記検出手段６９は第３検出部６８を検出しており、この位置から可動体５１,５２が基準位置に向けて駆動モータ５９の５２ステップ分に対応する距離だけ動作すると、該可動体５１,５２に設けられている第３検出部６８の限界端部が検出手段６９の光路を通過して該検出手段６９の検出状態が第１の状態から第２の状態に切り替わる。制御手段７０は、検出手段６９の検出状態の第１の状態から第２の状態への切り替わりを契機として、駆動モータ５９を動作するための動作情報を、前記初期動作パターンにおける２番目の動作情報である第６の動作情報に変更し、該第６の動作情報に基づいて駆動モータ５９を駆動させる。限界位置から駆動モータ５９の５２ステップ分に対応する距離だけ基準位置に向けて動作して検出手段６９が第３検出部６８を検出しなくなった位置の可動体５１,５２は、第６の動作情報に設定されている基準駆動値である５０ステップ分だけ駆動モータ５９がＣＷ方向に回転駆動されることで該５０ステップ分に対応する距離だけ基準位置に向けて動作すると、該可動体５１,５２に設けられている第２検出部６７の基準端部が検出手段６９の光路に進入して該検出手段６９の検出状態が第２の状態から第１の状態に切り替わる。制御手段７０は、検出手段６９の検出状態の第２の状態から第１の状態への切り替わりを契機として、駆動モータ５９を動作するための動作情報を、初期動作パターンにおける３番目の動作情報である第７の動作情報に変更し、該第７の動作情報に基づいて駆動モータ５９を駆動させる。
【００８６】
第６の動作情報に基づいて駆動モータ５９の５０ステップ分に対応する距離だけ基準位置に向けて動作して検出手段６９が第２検出部６７を検出する位置の可動体５１,５２は、第７の動作情報に設定されている基準駆動値である１５ステップ分だけ駆動モータ５９がＣＷ方向に回転駆動されることで該１５ステップ分に対応する距離だけ基準位置に向けて動作すると、該可動体５１,５２に設けられている第２検出部６７の限界端部が検出手段６９の光路を通過して該検出手段６９の検出状態が第１の状態から第２の状態に切り替わる。制御手段７０は、検出手段６９の検出状態の第１の状態から第２の状態への切り替わりを契機として、駆動モータ５９を駆動するための動作情報を、初期動作パターンにおける４番目の動作情報である第８の動作情報に変更し、該第８の動作情報に基づいて駆動モータ５９を駆動させる。第７の動作情報に基づいて駆動モータ５９の１５ステップ分に対応する距離だけ基準位置に向けて動作して検出手段６９が第２検出部６７を検出しなくなった位置の可動体５１,５２は、第８の動作情報に設定されている基準駆動値である４６ステップ分だけ駆動モータ５９がＣＷ方向に回転駆動されることで該４６ステップ分に対応する距離だけ基準位置に向けて動作すると、該可動体５１,５２に設けられている第１検出部６６の基準端部が検出手段６９の光路に進入して該検出手段６９の検出状態が第２の状態から第１の状態に切り替わる。制御手段７０は、検出手段６９の検出状態の第２の状態から第１の状態への切り替わりを契機として、駆動モータ５９を動作するための動作情報を、初期動作パターンにおける５番目の動作情報である第９の動作情報に変更し、該第９の動作情報に基づいて駆動モータ５９を駆動させる。
【００８７】
第８の動作情報に基づいて駆動モータ５９の４６ステップ分に対応する距離だけ基準位置に向けて動作して検出手段６９が第１検出部６６を検出する位置の可動体５１,５２は、第９の動作情報に設定されている基準駆動値である６３ステップ分だけ駆動モータ５９がＣＷ方向に回転駆動されることで該６３ステップ分に対応する距離だけ基準位置に向けて動作すると、該可動体５１,５２に設けられている第１検出部６６の限界端部が検出手段６９の光路を通過して該検出手段６９の検出状態が第１の状態から第２の状態に切り替わる。制御手段７０は、検出手段６９の検出状態の第１の状態から第２の状態への切り替わりを契機として、駆動モータ５９を駆動するための動作情報を、初期動作パターンにおける６番目の動作情報である第１０の動作情報に変更し、該第１０の動作情報に基づいて駆動モータ５９を駆動させる。
【００８８】
第９の動作情報に基づいて駆動モータ５９の６３ステップ分に対応する距離だけ基準位置に向けて動作して検出手段６９が第１検出部６６を検出しなくなった位置の可動体５１,５２は、第１０の動作情報に設定されている基準駆動値である１１４ステップ分だけ駆動モータ５９がＣＷ方向に回転駆動されることで該１１４ステップ分に対応する距離だけ基準位置に向けて動作すると、該可動体５１,５２は基準位置に至る。すなわち、初期動作パターンで特定されている駆動モータ５９をＣＷ方向に駆動するステップ数(基準駆動値)の合計(５２＋５０＋１５＋４６＋６３＋１１４)は、前記限界駆動値と同じとなるように設定されており、初期動作情報に基づいて限界位置まで動作させた可動体５１,５２を確実に基準位置まで戻すことができるようになっている。実施例では、初期動作パターンに設定されている初期動作情報におけるＣＷ方向へ駆動モータ５９を駆動するための動作情報および２番目〜６番目までの動作情報が、可動体５１,５２を限界位置から基準位置に戻すための復帰動作情報であり、これらの復帰動作情報における基準駆動値の合計が、前記限界駆動値と同じとなるように設定されている。言い替えると、初期動作パターンでは、可動体５１,５２を限界位置から基準位置に戻すために必要となる駆動値に基準駆動値の合計が一致する組合わせとなるように動作情報(復帰動作情報)が設定されている。
【００８９】
(異常判定処理について)
次に、前記可動体５１,５２を動作させる際に前記制御手段７０で実行される異常判定処理について、図１８を参照して説明する。ここで、前記各動作情報に設定されている基準駆動値は、当該基準駆動値分だけ駆動モータ５９を駆動した場合に、可動体５１,５２(検出部６６,６７,６８)が移動する計算値である。実施例では、各動作情報に、基準駆動値よりＮステップ数(例えば、基準駆動値の１０％に近い整数)だけ小さい下限駆動値(基準駆動値−Ｎ)と、基準駆動値よりＮステップ数(例えば、基準駆動値の１０％に近い整数)だけ大きい上限駆動値(基準駆動値＋Ｎ)との夫々を設定し、各動作情報に基づいて駆動モータ５９が動作された場合に、上限駆動値と下限駆動値との間で検出手段６９の検出状態の切り替わりがあった場合には異常が発生していないと判定するよう構成されている。すなわち、実施例では、各動作情報の基準駆動値は、異常判定するための上限駆動値および下限駆動値を設定する基準値として機能している。具体的には、例えば第１の動作情報を挙げて説明すると、該第１の動作情報では、基準駆動値である１１４ステップに対して１２ステップだけ小さい１０２ステップが下限駆動値として設定され、基準駆動値である１１４ステップに対して１２ステップだけ大きい１２６ステップが上限駆動値として設定される。なお、基準駆動値に対する下限駆動値および上限駆動値の差(Ｎステップ数)は、１２ステップに限られるものではなく、任意に設定可能である。そして、実施例では、前記各動作情報に設定された下限駆動値および上限駆動値に基づく異常判定処理が、前記検出手段６９の検出状態の切り替わりを契機として制御手段７０で実行されるよう構成されている。また、基準位置、限界位置、第１停止位置、第２停止位置、第１変則停止位置および第２変則停止位置で可動体５１,５２を停止させるための基準駆動値のように、基準駆動値分だけ駆動モータ５９を動作しても検出手段６９の検出状態の切り替わりが生じないように設定されている基準駆動値を含む第１０〜第１９の動作情報、初期動作情報には、対応する基準駆動値に対して上限駆動値および下限駆動値は設定されておらず、当該基準駆動値分だけ駆動モータ５９が駆動したときに、該駆動モータ５９を停止するよう設定されている。
【００９０】
図１８は、前記異常判定処理の流れを示すフローチャートであって、前記動作情報に基づいて駆動モータ５９の駆動制御が開始されると(ステップＳ１１)、制御手段７０から駆動モータ５９に送られたステップ数が前記カウント部７０ｄでカウントされる。制御手段７０は、カウント部７０ｄのカウント値が上限駆動値以上となったか否かを判定する(ステップＳ１２)。ステップＳ１２が否定であれば、ステップＳ１３に移行して前記検出手段６９の検出状態が切り替わったか否かを判定する。ステップＳ１３が否定であれば、ステップＳ１２に戻る。そして、ステップＳ１３が肯定される前に、ステップＳ１２が肯定、すなわち動作情報に基づく制御が開始されてから検出手段６９の検出状態が切り替わっていないのにカウント部７０ｄのカウント値が上限駆動値以上となった場合は、制御手段７０は異常ありと判定する(ステップＳ１４)。すなわち、正常であれば駆動モータ５９が上限駆動値より小さい基準駆動値(基準駆動値±１０％の範囲)ステップ数分回転駆動されたときに検出手段６９の検出状態が切り替わるはずであるにも関わらず、カウント部７０ｄでのカウント値が基準駆動値より大きい上限駆動値となっても検出手段６９の検出状態が切り替わらなかった場合(駆動モータ５９が基準駆動値を超えて駆動された場合)は、該検出手段６９の誤検出や可動体５１,５２の動作不良等の異常が発生したものと判定される。
【００９１】
前記ステップＳ１２が肯定される前に前記ステップＳ１３が肯定されると、ステップＳ１５に移行して、前記カウント部７０ｄのカウント値が下限駆動値以下であるか否かを判定する。ステップＳ１５が肯定された場合は、制御手段７０は異常ありと判定する(ステップＳ１４)。すなわち、正常であれば駆動モータ５９が基準駆動値(基準駆動値±１０％の範囲)より小さい下限駆動値のステップ分回転駆動された後に検出手段６９の検出状態が切り替わるはずであるにも関わらず、カウント部７０ｄでのカウント値が基準駆動値より小さい下限駆動値以下で検出手段６９の検出状態が切り替わってしまった場合(駆動モータ５９を駆動するためのステップ数が基準駆動値となる前に検出状態が切り替わってしまった場合)は、該検出手段６９の誤検出や可動体５１,５２の動作不良等の異常が発生したものと判定される。
【００９２】
前記ステップＳ１５が否定であれば、制御手段７０は異常なしと判定する(ステップＳ１１６)。なお、カウント部７０ｄは、制御手段７０で異常なしと判定されるとリセットされて、検出手段６９の検出状態の切り替わりを契機として変更された次の動作情報に基づく駆動モータ５９の制御が開始されるのに伴ってカウントを開始する。実施例のパチンコ機１０では、前記制御手段７０が異常ありと判定した場合は、前記ランプ装置１８やスピーカ１９等によって異常を報知する異常報知制御等が行われる。なお、異常報知制御等については、制御手段７０による１回の異常あり判定によって即実行するものでなく、異常あり判定の数を計数する計数手段を設け、該計数手段の計数値が予め設定された異常回数に達した場合に異常報知制御等を実行するよう構成してもよい。
【００９３】
実施例では、前記制御手段７０は、複数種類の動作情報の内から実行させる動作情報の組合せを決定する動作情報決定手段として機能する。また、検出手段６９による検出状態の切り替わりを契機として動作情報決定手段としての制御手段７０が決定した動作情報の内で実行させる動作情報を変更して駆動モータ５９を駆動させる駆動制御手段としての機能を制御手段７０が備えている。なお、駆動制御手段としての制御手段７０は、検出手段６９の第１の状態から第２の状態への検出状態の切り替わりおよび第２の状態から第１の状態への検出状態の切り替わりの夫々を契機として、実行させる動作情報を変更して次の動作情報に基づいて駆動モータ５９を駆動させるよう構成される。また、前記制御手段７０は、可動体５１,５２を基準位置まで復帰(原点復帰)させる際には、初期動作情報を決定すると共に、当該初期動作情報に基づいて駆動モータ５９が駆動されるのに伴って動作された可動体５１,５２を基準位置まで動作させるために必要な駆動値に基準駆動値の合計が一致する組合せとなる復帰動作情報を決定する機能を有する。そして、制御手段７０は、初期動作情報に基づいて駆動モータ５９を駆動させた後に、検出手段６９による検出状態の切り替わりを契機として復帰動作情報を変更して駆動モータ５９を駆動させることで、可動体５１,５２を基準位置まで動作させる機能を有する。
【００９４】
前記制御手段７０は、検出手段６９による検出状態の切り替わりを契機として、停止動作情報に基づいて駆動モータ５９を駆動させることで、表示装置１７の表示領域７１を区画する停止位置まで可動体５１,５２を動作させる機能を備える。また、制御手段７０は、動作情報の組合せおよび実行順序を特定した複数の動作パターンの内から１つの動作パターンを決定する機能を有すると共に、検出手段６９による検出状態の切り替わりを契機として、決定された動作パターンで特定される動作情報を実行順序で変更して駆動モータ５９を駆動させることで、基準位置から動作した可動体５１,５２を基準位置に復帰させる機能を有する。更に、制御手段７０は、検出手段６９の検出状態が切り替わる前に上限駆動値を超えて駆動モータ５９を駆動させた場合に異常判定する異常判定手段としての機能、および下限駆動値で駆動モータ５９を駆動させる前に検出手段６９の検出状態が切り替わった場合に異常判定する異常判定手段としての機能を備える。
【００９５】
(実施例の作用)
次に、前述のように構成された実施例に係るパチンコ機１０の作用につき説明する。
【００９６】
前記パチンコ機１０では、電源投入時には、前記制御手段７０は、前記駆動モータ５９,５９を動作させる動作パターンとして初期動作パターンを決定し、該初期動作パターンに設定されている動作情報に基づいて前記両可動制御装置Ｍ１,Ｍの駆動モータ５９,５９を駆動制御して、各可動体５１,５２を基準位置に位置決めする。すなわち、図１７(ａ)に示す如く、初期動作パターンに設定されている複数の動作情報を、設定されている実行順序に従って制御手段７０が駆動モータ５９を駆動制御することで、可動制御装置Ｍ１,Ｍ２の可動体５１,５２を図６(ａ)に示す基準位置に位置決めすることができる。
【００９７】
前記初期動作パターンでは、１番目に設定されている初期動作情報の基準駆動値が、可動体５１,５２を基準位置から限界位置まで動作させるのに必要な限界駆動値に設定されているので、各駆動モータ５９を該限界駆動値分だけＣＣＷ方向に駆動することで、各可動演出装置Ｍ１,Ｍ２において可動体５１,５２を図９(ａ)に示す限界位置まで確実に動作させることができる。そして、可動体５１,５２を限界位置まで動作させた後に、該可動体５１,５２を基準位置まで復帰させる際には、初期動作パターンに設定されている第６の動作情報、第７の動作情報、第８の動作情報、第９の動作情報および第１０の動作情報を、前記検出手段６９の検出状態の切り替わりを契機に順次変更して、各動作情報で駆動モータ５９を動作させる。これにより、可動体５１,５２の動作に合わせて移動する複数の検出部６６,６７,６８を同一の検出手段６９で順に検出する構成であっても、該可動体５１,５２を精度よく基準位置まで戻すことができる。言い替えれば、限界位置から基準位置まで１つの動作情報に基づいて駆動モータ５９を駆動して可動体５１,５２を動作する場合には、駆動モータ５９の脱調等により可動体５１,５２の位置ずれが生じてしまった場合は修正することはできないが、検出手段６９の検出状態の切り替わりを契機に動作情報を変更することで、切り替わり前に生じていた位置ズレを修正することができる。従って、可動体５１,５２を、前記各種の演出用の動作パターン(第１の動作パターン〜第９の動作パターン)で動作させる場合には、該可動体５１,５２を基準位置から精度よく動作させ得る。
【００９８】
前記前枠１３に設けられた前記操作ハンドル１６の操作レバー１６ａを遊技者が回転操作すると、前記打球発射装置から発射されたパチンコ球が前記遊技盤２０の遊技領域２８内に打ち出される。この遊技領域２８に打ち出されたパチンコ球は、前記枠状装飾体４２の外周囲を流下し、該パチンコ球が前記始動入賞口２９,３０に入賞すると、前記制御手段７０の制御に基づいて前記表示装置１７の表示部１７ａ(表示領域７１)において図柄が変動開始され、所要の図柄変動演出が展開される。表示部１７ａで展開される図柄変動演出の結果、該表示部１７ａに所定の図柄組合わせで図柄が停止表示されたときに大当りが発生する。そして、大当りが発生すると、表示装置１７の表示部１７ａに表示された図柄組み合わせ(大当りの種類)に応じて、前記特別入賞装置３３の特別入賞口３２が異なるパターンで開放され、遊技者は多くの賞球が獲得可能となる。
【００９９】
前記表示装置１７の表示部１７ａで展開される図柄変動演出に応じて、前記制御手段７０は、前記複数種類の演出用の動作パターンの内から１つの動作パターンを決定し、該決定した動作パターンで設定されている動作情報に基づいて前記駆動モータ５９を動作するように制御することで、前記各可動演出装置Ｍ１,Ｍ２の可動体５１,５２が動作されて動的な演出により遊技の興趣が高められる。
【０１００】
前記演出用の動作パターンで駆動モータ５９が動作されることで実行される各可動演出装置Ｍ１,Ｍ２における可動体５１,５２の動作態様について、制御手段７０が第３の動作パターンを決定した場合で説明する。この第３の動作パターンは、図１５に示す如く、１番目〜９番目までの９個の動作情報から構成され、第１の動作情報、第２の動作情報、第１６の動作情報、第４の動作情報、第１２の動作情報、第７の動作情報、第８の動作情報、第９の動作情報および第１０の動作情報が順に設定されている。
【０１０１】
図６(ａ)に示す如く、前記可動体５１,５２の基準位置では、前記表示装置１７の表示領域７１は全体が可動体５１,５２で区画されておらず、１つの領域となっており、該表示装置１７は１つの表示領域７１に合わせた画像を表示する。なお、基準位置に可動体５１,５２が位置する状態では、図６(ｂ)に示す如く、前記検出手段６９は検出部６６,６７,６８を検出しない第２の状態となっている。そして、基準位置から可動体５１,５２の動作を開始する場合は、前記制御手段７０は、駆動モータ５９を動作させる動作情報として第１の動作情報を決定し、該第１の動作情報に基づいて駆動モータ５９をＣＣＷ方向に１１４ステップ分回転駆動させる。駆動モータ５９がＣＣＷ方向に１１４ステップ分回転駆動されると、基準位置の可動体５１,５２は、該可動体５１,５２に配設されている前記第１検出部６６の限界端部が検出手段６９の光路に進入して、該検出手段６９の検出状態が第２の状態から第１の状態に切り替わる。制御手段７０は、検出手段６９の検出状態の切り替わりを契機として、駆動モータ５９を駆動する動作情報を前記第２の動作情報に変更し、該第２の動作情報に基づいて駆動モータ５９をＣＣＷ方向に６３ステップ分回転駆動させる。可動体５１,５２が限界位置に向けて駆動モータ５９の６３ステップ分に対応する距離だけ動作すると、前記第１検出部６６の基準端部が検出手段６９の光路を通過して該検出手段６９の検出状態が第１の状態から第２の状態に切り替わる。
【０１０２】
前記第３の動作パターンにおける２番目の動作情報(第２の動作情報)に基づいて限界位置に向けて可動体５１,５２が動作するのに伴って前記検出手段６９の検出状態が第１の状態から第２の状態に切り替わったことを契機として、前記制御手段７０は、駆動モータ５９を駆動する動作情報を前記第１６の動作情報に変更し、該第１６の動作情報に基づいて駆動モータ５９をＣＣＷ方向に２３ステップ分回転駆動させて停止する。これにより、可動体５１,５２は、図７(ａ),図１０に示す第１停止位置で停止する。この第１停止位置では、各可動演出装置Ｍ１,Ｍ２の可動体５１,５２により第１区画領域７１ａ,７１ａが区画され、前記表示装置１７では、第３の動作パターンに対応する表示演出パターンに基づいて、各区画領域７１ａ,７１ａとその他領域７１ｄとで異なる画像を表示する。すなわち、可動体５１,５２によって区画成された第１区画領域７１ａ,７１ａに表示される画像を際だたせることができ、表示演出と可動体５１,５２の動作演出とによって演出効果を向上し得る。また、可動体５１,５２の動作に合わせて移動する検出部６６,６７による検出手段６９の検出状態の切り替わりを契機として、前記駆動モータ５９を動作させる動作情報を変更しているので、各可動演出装置Ｍ１,Ｍ２における夫々の可動体５１,５２を精度よく第１停止位置まで動作させて表示装置１７の表示領域７１を複数の領域に区画することができるから、可動体５１,５２の動作と表示装置１７の表示演出とが整合した演出によって興趣を向上し得る。
【０１０３】
前記第１停止位置で停止された可動体５１,５２は、前記制御手段７０が第１６の動作情報に基づいて駆動モータ５９をＣＣＷ方向に２３ステップ分回転駆動させることで、前記第２検出部６７の限界端部が検出手段６９の光路に進入して該検出手段６９の検出状態が第２の状態から第１の状態に切り替わる。制御手段７０は、検出手段６９の検出状態の第２の状態から第１の状態への切り替わりを契機として、駆動モータ５９を駆動するための動作情報を第４の動作情報に変更し、該第４の動作情報に基づいて駆動モータ５９をＣＣＷ方向に１５ステップ分回転駆動させる。可動体５１,５２が限界位置に向けて駆動モータ５９の１５ステップ分に対応する距離だけ動作すると、前記第２検出部６７の基準端部が検出手段６９の光路を通過して該検出手段６９の検出状態が第１の状態から第２の状態に切り替わる。
【０１０４】
前記第３の動作パターンにおける４番目の動作情報(第４の動作情報)に基づいて限界位置に向けて可動体５１,５２が動作するのに伴って前記検出手段６９の検出状態が第１の状態から第２の状態に切り替わったことを契機として、前記制御手段７０は、駆動モータ５９を駆動する動作情報を第１２の動作情報に変更し、該第１２の動作情報に基づいて駆動モータ５９をＣＣＷ方向に２５ステップ分回転駆動させて停止する。これにより、可動体５１,５２は、図８(ａ),図１１に示す第２停止位置で停止する。この第２停止位置では、各可動演出装置Ｍ１,Ｍ２の可動体５１,５２により第２区画領域７１ｂ,７１ｂが区画され、前記表示装置１７では、第３の動作パターンに対応する表示演出パターンに基づいて、各第２区画領域７１ｂ,７１ｂと第３区画領域７１ｃとで異なる画像を表示する。すなわち、可動体５１,５２によって区画成された第２区画領域７１ｂ,７１ｂに表示される画像を際だたせることができ、該可動体５１,５２が第１停止位置で停止した場合と同様に、表示演出と可動体５１,５２の動作演出とによって演出効果を向上し得る。
【０１０５】
前記第２停止位置で停止された可動体５１,５２は、前記制御手段７０が第１２の動作情報に基づいて駆動モータ５９をＣＷ方向に２５ステップ分回転駆動させることで、前記第２検出部６７の基準端部が検出手段６９の光路に進入して該検出手段６９の検出状態が第２の状態から第１の状態に切り替わる。制御手段７０は、検出手段６９の検出状態の第２の状態から第１の状態への切り替わりを契機として、駆動モータ５９を駆動するための動作情報を第７の動作情報に変更し、該第７の動作情報に基づいて駆動モータ５９をＣＷ方向に１５ステップ分回転駆動させる。可動体５１,５２が基準位置に向けて駆動モータ５９の１５ステップ分に対応する距離だけ動作すると、前記第２検出部６７の限界端部が検出手段６９の光路を通過して該検出手段６９の検出状態が第１の状態から第２の状態に切り替わる。制御手段７０は、検出手段６９の検出状態の第１の状態から第２の状態への切り替わりを契機として、駆動モータ５９を駆動するための動作情報を第８の動作情報に変更し、該第８の動作情報に基づいて駆動モータ５９をＣＷ方向に４６ステップ分回転駆動させる。可動体５１,５２が基準位置に向けて駆動モータ５９の４６ステップ分に対応する距離だけ動作すると、前記第１検出部６６の基準端部が検出手段６９の光路に進入して該検出手段６９の検出状態が第２の状態から第１の状態に切り替わる。制御手段７０は、検出手段６９の検出状態の第２の状態から第１の状態への切り替わりを契機として、駆動モータ５９を駆動するための動作情報を第９の動作情報に変更し、該第９の動作情報に基づいて駆動モータ５９をＣＷ方向に６３ステップ分回転駆動させる。可動体５１,５２が基準位置に向けて駆動モータ５９の６３ステップ分に対応する距離だけ動作すると、前記第１検出部６６の限界端部が検出手段６９の光路を通過して該検出手段６９の検出状態が第１の状態から第２の状態に切り替わる。更に、制御手段７０は、検出手段６９の検出状態の第１の状態から第２の状態への切り替わりを契機として、駆動モータ５９を駆動するための動作情報を第１０の動作情報に変更し、該第１０の動作情報に基づいて駆動モータ５９をＣＷ方向に１１４ステップ分回転駆動させて停止することで、可動体５１,５２は基準位置に停止される。
【０１０６】
実施例のパチンコ機１０では、各可動演出装置Ｍ１,Ｍ２の可動体５１,５２を動作させる際に、各検出手段６９による検出状態の切り替わりを契機として実行させる動作情報を変更して対応する駆動モータ５９を駆動させることで、当該可動体５１,５２の動作に合わせて移動する複数の検出部６６,６７,６８を同一の検出手段６９で順に検出する構成であっても可動体５１,５２の動作位置に基づいて精度よく動作させることができる。すなわち、少数の検出手段６９で可動体５１,５２を精度よく制御し得る。また、可動体５１,５２の動作位置を複数の検出手段６９で検出する必要がないから、製造コストの低減や配線処理の簡略化を図り得ると共に、設計の自由度を高め得る。
【０１０７】
更に、第１の状態から第２の状態への検出手段６９の検出状態の切り替わりと、第２の状態から第１の状態への検出手段６９の検出状態の切り替わりの夫々を契機として、駆動モータ５９を駆動させる動作情報を変更するようにしているので、可動体５１,５２の動作位置に基づいて駆動モータ５９を細かく制御でき、可動体５１,５２の動作精度を高めることができる。また、制御手段７０の制御ＲＯＭ７０ｂに、可動体５１,５２の各動作態様に対応する動作パターンが設定記憶されているので、制御手段７０は複数の動作パターンの内から１つの動作パターンを決定するだけで、可動体５１,５２を各種の動作態様で精度よく動作させることができる。
【０１０８】
実施例のパチンコ機１０では、前記駆動モータ５９を動作情報に基づいて駆動する際には、動作情報に設定されている基準駆動値に対して値が小さな下限駆動値および値が大きな上限駆動値に基づいて異常判定を行っているので、異常が発生した場合には適切に対応することができる。また、異常判定処理は、検出手段６９の検出状態の切り替わりを契機として動作情報が変更される毎に行われるので、異常発生を精度よく発見することができる。
【０１０９】
(変更例)
本願は前述した実施例の構成に限定されるものではなく、その他の構成を適宜に採用することができる。
(1) 実施例では、可動体に３つの検出部を設けたが、該検出部の数は２つまたは４つ以上であってもよく、検出手段が一度に複数の検出部を検出することがない間隔で各検出部が設けられていればよい。
(2) 駆動モータの動作態様を特定する複数種類の動作情報には、動作情報に基づいて駆動モータが駆動されることで基準位置、限界位置、停止位置の各位置から可動体が移動する場合に、該可動体と共に移動する検出部を検出可能な検出手段の検出状態が切り替わる値の基準駆動値(ステップ数)が設定されたものが設けられている。
(3) 実施例では、可動体を回転する場合で説明したが、該可動体が直線的に往復移動する構成であってもよく、該可動体の移動方向に沿って複数の検出部が離間して設けられていればよい。
(4) 実施例では、可動演出装置が２つの可動体を備えた構成としたが、可動体は１つであってもよい。
(5) ２つ(複数)の可動演出装置は、夫々の駆動モータが同期して駆動制御されるものであっても、非同期で駆動制御されるものであってもよい。
(6) 実施例では、２つの可動演出装置を配設した場合で説明したが、可動演出装置は１つであっても３つ以上であってもよい。
【０１１０】
(7) 実施例では、各可動演出装置が備える２つの可動体(共通の駆動モータで動作される可動体)によって表示領域を囲むように区画するよう構成したが、複数の可動演出装置が備える可動体によって表示領域が区画される構成を採用し得る。そして、別々の駆動モータによって動作される可動体で表示領域を区画する構成では、各可動体を精度よく制御し得るので、表示領域を区画する位置に可動体を動作させる際に位置ずれが生ずるのを効果的に抑えることができる。
(8) 実施例では、第１の状態から第２の状態への検出手段の検出状態の切り替わりと、第２の状態から第１の状態への検出手段の検出状態の切り替わりの夫々を契機として、駆動モータを駆動させる動作情報を変更するようにしたが、第１の状態から第２の状態への検出手段の検出状態の切り替わりおよび第２の状態から第１の状態への検出手段の検出状態の切り替わりの何れか一方のみを契機として、駆動モータを駆動させる動作情報を変更する構成を採用し得る。
(9) 実施例では、パチンコ機を構成する全ての装置を１つの制御手段によって制御するよう構成したが、機能の異なる装置を別々の制御手段によって制御する構成を採用し得る。また、パチンコ機の全体を制御するメイン制御手段と、該メイン制御手段からの制御信号に基づいて各制御対象を制御するサブ制御手段とを設け、該サブ制御手段が可動演出装置や表示装置を制御する構成を採用し得る。
(10) 遊技機としては、パチンコ機に限られるものではなく、アレンジボール機やパチンコ球を用いたスロットマシン等、その他各種の遊技機であってもよい。
【０１１１】
実施例および別実施例に記載された遊技機からは、下記の付記に記載した構成に係る遊技機を特定可能である。
〔付記１〕
請求項１記載の構成を含む遊技機に関し、
前記動作情報には、当該動作情報に基づく前記駆動モータ(59)の駆動を許容する上限駆動値が設定され、
前記検出手段(69)の検出状態が切り替わる前に、前記動作情報に設定された上限駆動値を超えて前記駆動モータ(59)を駆動させた場合に異常判定する異常判定手段(70)を備えたことを要旨とする。
付記１の遊技機によれば、検出状態が切り替わる前に上限駆動値を超えて駆動モータが駆動された場合には、異常ありと判定して、異常に適切に対応することができる。
〔付記２〕
請求項１記載の構成を含む遊技機に関し、
前記動作情報には、当該動作情報に基づく前記駆動モータ(59)の駆動を許容する下限駆動値が設定され、
前記動作情報に設定された下限駆動値で前記駆動モータ(59)を駆動させる前に前記検出手段(69)の検出状態が切り替わった場合に異常判定する異常判定手段(70)を備えたことを要旨とする。
付記２の遊技機によれば、基準駆動値となる前に検出状態が切り替わった場合には、異常ありと判定して、異常に適切に対応することができる。
【符号の説明】
【０１１２】
１７  表示装置(表示手段)
５１  第１可動体(可動体)
５２  第２可動体(可動体)
５９  駆動モータ
６６  第１検出部(検出部)
６７  第２検出部(検出部)
６８  第３検出部(検出部)
６９  検出手段
７０  制御手段(動作情報決定手段,駆動制御手段)
７１  表示領域
７１ａ  第１区画領域(領域)
７１ｂ  第２区画領域(領域)
【図１】
0006307001.tif 000002
【図２】
0006307001.tif 000003
【図３】
0006307001.tif 000004
【図４】
0006307001.tif 000005
【図５】
0006307001.tif 000006
【図６】
0006307001.tif 000007
【図７】
0006307001.tif 000008
【図８】
0006307001.tif 000009
【図９】
0006307001.tif 000010
【図１０】
0006307001.tif 000011
【図１１】
0006307001.tif 000012
【図１２】
0006307001.tif 000013
【図１３】
0006307001.tif 000014
【図１４】
0006307001.tif 000015
【図１５】
0006307001.tif 000016
【図１６】
0006307001.tif 000017
【図１７】
0006307001.tif 000018
【図１８】
0006307001.tif 000019